(57)【特許請求の範囲】
【請求項１】
郵便切手、収入印紙等の切手類の収納管理対象物を収納する複数の切手類保管管理用の収容容器と、前記各収容容器毎に対応して設けられて前記収容容器を収容する収容ケースと、前記収容ケースへの前記収容容器の出入等の状態を検出する手段と、前記各収容容器の区別と状態を検出認識する手段と、前記収容容器内の切手類を撮像する撮像手段と、前記撮像手段により撮像された切手類の画像を解析する切手類枚数種別検出装置とを備えたことを特徴とする窓口用切手類保管管理装置。
【請求項２】
前記収容容器には引き出し式の容器が用いられ、且つ同一収容容器中に複数の同種の切手類を重ねて収容している場合において、各引き出しの中に黒色または灰色等の濃色単色で前記収容容器の切手類収納の面積と同寸のプレートを備えたことを特徴とする請求項１記載の窓口用切手類保管管理装置。
【発明の詳細な説明】
【０００１】
【発明の属する技術分野】
本発明は、郵便切手や収入印紙等の販売窓口などにおいて利用される窓口用切手類保管管理装置及びこれを用いた切手類販売管理システム装置に関するものである。
【０００２】
【従来の技術】
従来、郵便局や切手類販売委託先（切手類販売事務所やステーション、以下、事務所という）の切手類販売窓口において用いられていた切手類の管理方法は、シート状切手類の分類収納用引出し（容器）を複数個備え、錠付きシャッタ扉等の扉を備えた手動の切手類保管箱に収納し、管理対象の切手類の現物管理は手作業により、売り上げデータや出納等のデータ管理面を行なうための郵便窓口事務処理器により、データ管理を行なっていた。この従来の管理機器は、郵便物の秤量を行なう電子式はかりと連動して郵便料金の自動算定を行ない、当該算定結果に連動して郵便料金証紙を発行でき、且つ切手類の出入りや売り上げ金などの出納管理上のデータは手入力操作によりデータ登録を行なうように構成されており、郵便窓口端末機（特開平２−１５５０９３号）や郵便窓口業務の総合処理装置
（特開平２−１５７９６５号）として提案されたものが知られている。
【０００３】
これらの従来の郵便窓口業務装置にあっては、切手類の販売管理面はオートデータエントリーは行なわず、単なる切手箱（引出し）が用いられていて、切手類の種別、金額、枚数などのデータエントリーは手入力によって行ない、また、現物に関する取り扱い管理も人手によって行なうようになっている。そして、窓口がクローズ（業務終了）した後は、切手類の棚卸しを行なう必要があり、この棚卸しを行なうには、残業などの方法でこなし、翌日の業務に影響を与えないようにしている。
【０００４】
また、従来の切手類販売において用いられていた装置では、切手類収容容器の操作、鍵や装置の操作セキュリティ管理、切手類枚数計数、切手類金額の自在設定発行、切手類シート毎の管理、複数オペレータの間における業務引き継ぎの責任の明確化、切手類の売り上げ金銭と切手類現物の一括管理、などのための業務処理装備や自動化は行なわれておらず、人手による操作や、書類帳票等による管理に依存している。
【０００５】
【発明が解決しようとする課題】
しかしながら、このような従来の郵便窓口業務装置にあっては、切手類販売に関するデータを係員がキー操作を行なって入力すると、上記データを電子情報として記憶し、磁気記録媒体に記録し、売上データが登録されるようになっており、旧来の紙に筆記記録する帳簿にたよる売り上げデータの登録による販売管理に取って代わるものであるが、これらの郵便窓口業務装置は、郵便物の自動秤量と連動した郵便料金自動計算とリンクした郵便証紙の印字発行とその販売データの登録管理、およびその他の郵便窓口関連業務処理データの登録管理を主体とするものである。また、切手類についても、売り上げをデータを手入力でエントリーする方式でのデータ管理をしており、切手類の現物の保管管理とは直接リンクするものでなかった。
【０００６】
すなわち、切手類の現物管理は、郵便窓口業務装置の操作とは直接的な関係のない方法によって行なわれていたのであり、その方法として、切手類の現物は切手類の種別毎に分類して切手類を収納する多数の引出しと、鍵付きのシャッター或いは鍵付き扉を備えた切手類保管箱に切手類を収容し、切手類管理用の帳票や帳簿への手記入による方法を用いて切手類の在庫管理を行ない、殆ど全ての作業を手作業によって行なうのが実情であった。
【０００７】
また、従来は切手類の出し入れや枚数の計数から売り上げデータ管理に到る作業が係員の手作業にまかせる他はなく、ミス防止の具体的な手段もなかったので、切手類の保管管理の完全を図るために、窓口での販売が終了し窓口をクローズした後に、棚卸し作業に相当する点検と引き継ぎという手続きを行なって管理する方法がとられていた。しかしこの方法では、多量に切手類を取り扱う窓口においては作業の手間が非常にかかる上、セキュリティ上、放縦請求、販売成績データ情報報告書作成等の事務手続きにも手間がかかるという問題があった。
【０００８】
また、従来の切手類販売において用いられていた装置では、高度の自動化や合理化のための諸装置は実現されておらず、切手類収容容器の操作、鍵や装置の操作セキュリティ管理、切手類枚数計数、切手類金額の自在設定発行、切手類シート毎の管理、複数オペレータの間における業務引き継ぎの責任の明確化、切手類の売り上げ金銭と切手類現物の一括管理などのための業務処理装備や自動化装置は提供されていないので、これらに関しても全て手作業による業務処理や非合理的な制度や方法により切手類の販売手続や管理業務が行なわれているという問題があった。
【０００９】
本発明は、上記従来の問題点に鑑みてなされたもので、その目的は、窓口における切手類保管管理および切手類販売管理を自動化することにより、事務の簡略化と、正確で迅速な処理遂行、およびセキュリティの向上を図ることである。
【００１０】
【課題を解決するための手段】
本発明は、上記目的を達成するために、郵便切手、収入印紙等の切手類の収納管理対象物を収納する複数の切手類保管管理用の収容容器と、各収容容器毎に対応して設けられて当該収容容器を収容する収容ケースと、収容ケースへの収容容器の出入等の状態を検出する手段と、各収容容器の区別と状態を検出認識する手段と、収容容器内の切手類を撮像する手段と、撮像手段により撮像された切手類の画像を解析する切手類枚数種別検出装置とを備えたものである。
【００１１】
かかる構成により、撮像手段によりシート状の切手類の一部を切り取って販売した残りの端数のシート状切手類を撮像手段により撮像し、撮像された切手類の画像を解析して切手類の枚数を算出しまた種別を認識判定することにより、切手類販売業務処理の省力化と正確化を図ることができ、窓口における切手類保管管理および切手類販売管理を自動化することにより、事務の簡略化と、正確で迅速な処理遂行、およびセキュリティの向上を図ることができる。
【００１２】
本発明はまた、収容容器には引き出し式の容器が用いられ、且つ同一収容容器中に複数の同種の切手類を重ねて収容している場合において、各引き出しの中に黒色または灰色等の濃色単色で収容容器の切手類収納の面積と同寸のプレートを備えたことを特徴とするものである。
【００１３】
かかる構成により、シート状切手類の一部分を切り取って販売し残った端数のシート状切手類をプレート上に載せ、プレートと切手類の端数シートとのコントラストが明確となる状態を得ることができるため、同一容器中に収納されている他のシート状切手類との区別が明確となり、端数の切手類の枚数判定が正確に行なうことができる。
【００１４】
本発明はさらに、以下のような多数の実施態様を備えている。本発明は、窓口用切手類保管管理装置の操作を行なうための操作入力手段すなわちデータ入力手段のキー操作、或いは、当該窓口用切手類保管管理装置に接続され連動し機能するように備えられた他の窓口用切手類販売関連事務処理機器の操作入力手段のキー操作によって、切手類種別指定の入力操作を行なうことによって当該窓口用切手類保管管理装置の中に切手類の種別毎に収納してある複数種類の切手類の中から該当する種類の切手類を収納してある収容容器を自動的に選択駆動し自動的に出し入れする手段を備えることにより、切手類の販売及び保管管理業務における切手類の検索並びに収容容器出入りの手間を省くようにした切手類収納管理用装置の容器の自動駆動による業務省力のための手段を、前記窓口用切手類保管管理装置およびこれを用いた切手類販売管理システム装置構成の選択追加手段として備えたことを要旨とする。
【００１５】
本発明はさらにまた、窓口用切手類保管管理装置の複数の切手類保管管理用収容容器の当該収容容器を収容する収容ケースからの出入をロックする手動錠を備え、当該手動錠の動作に連動し複数の切手類収容容器に対して施錠および解錠が行なわれ、且つ当該手動錠の動作センサー乃至はスイッチにより電子情報化して当該窓口用切手類保管管理装置の運用操作上のセキュリティ管理に用いるようにした手段を、本願の窓口用切手類保管管理装置及びこれを用いた切手類販売管理システム装置構成の選択追加手段として備えたことを要旨とする。
【００１６】
本発明はさらに、窓口用切手類保管管理装置の切手類収容容器の施錠において、複数の切手類収容容器の各々に対して設けられた電気作動錠への電気的選択印加により作動する自動錠を設け、且つ操作用キーボード等による作動指令操作により自動施錠および自動解錠が行なわれ、当該操作の履歴を電子情報化し記憶させることによりセキュリティ管理情報として用いるようにした切手類収容容器毎の錠操作の電子的チェックや自動操作のための手段を、本願の窓口用切手類保管管理装置及びこれを用いた切手類販売管理システム装置構成の選択追加手段として備えたことを要旨とする。
【００１７】
本発明はさらに、窓口用切手類保管管理装置にプリペイドカード、郵便貯金カード、電子マネー、信販カード等の金銭支払い精算のための磁気記録媒体カードやＩＣカード等の記録媒体の読み取りや書き込みを行なうことにより料金精算が行なえる金銭支払い精算用記録媒体リードライト装置を備え、切手類販売業務を金銭支払い精算用記録媒体を用いて行なえるようにした手段を、前記窓口用切手類保管管理装置およびこれを用いた切手類販売管理システム装置構成の選択追加手段として備えたことを要旨とする。
【００１８】
本発明はさらに、窓口用切手類保管管理装置に個人認識装置を設け、個人認識装置による作動指令操作により電気作動錠の自動施錠および自動解錠が行なわれるようにし、操作者の個人認識等によるセキュリティ向上のための手段を、前記窓口用切手類保管管理装置およびこれを用いた切手類販売管理システム装置構成の選択追加手段として備えたことを要旨とする。
【００１９】
本発明はさらに、窓口用切手類保管管理装置に収容容器内の切手類を撮像する電子カメラ等の撮像手段を設け、また撮像手段により撮像された切手類の画像を解析する切手類枚数種別検出装置とを備え、撮像手段によりシート状の切手類の一部を切り取って販売した残りの端数のシート状切手類を撮像手段により撮像し、撮像された切手類の画像を解析して切手類の枚数を算出しまた種別を認識判定することにより、切手類販売業務処理の省力化と正確化を図るようにした切手類枚数の自動計数のための手段を、前記窓口用切手類保管管理装置およびこれを用いた切手類販売管理システム装置構成の選択追加手段として備えたことを要旨とする。
【００２０】
本発明はさらに、窓口用切手類保管管理装置の収容容器には引き出し式の容器を用い、且つ同一収容容器中に複数の同種の切手類を重ねて収容している場合において、各引き出しの中に黒色または灰色等の濃色単色で当該容器の切手類収納の面積と同寸のプレートを備え、シート状切手類の一部分を切り取って販売し残った端数のシート状切手類を当該プレート上に載せ、当該プレートと切手類の端数シートとのコントラストが明確となる状態を得ることができるようにし、同一容器中に収納されている他のシート状切手類との区別が明確となるようにすることによって端数の切手類の枚数判定が正確に行なえるようにした手段を、前記窓口用切手類保管管理装置およびこれを用いた切手類販売管理システム装置構成の選択追加手段として備えたことを要旨とする。
【００２１】
本発明はさらに、窓口用切手類保管管理装置に金額等を印字することによって多種乃至は任意の金額の切手類を発行する金額自在設定切手類発行装置を備え、金額自在切手類発行装置の併備による販売切手類の手段低減や切手類出し入れの手作業の手間を省くことによる業務迅速化や管理の簡素化等の合理化のための手段として前記窓口用切手類保管管理装置およびこれを用いた切手類販売管理システム装置構成の選択追加手段として備えたことを要旨とする。
【００２２】
本発明はさらに、窓口用切手類保管管理装置の収容容器としてシート状切手類を１シート毎に仕切り用シートに挟んで保持した多数のシートホルダーを用い、当該収容容器をシート状切手類の厚みの方向の重なりの状態に集積保管し、且つ当該シートホルダーの位置を判別する手段と、当該集積保管中の多数のシートホルダーの中から必要とする切手類が収納してあり選択抽出の対象となるシートホルダーを自動検索してピックアップして、シートホルダーを開けて目的の切手類の出し入れができるようにした手段と、且つ多数の当該容器に収納するシート状切手類を１シートホルダーに１枚にすれば収納する全てのシート状切手類を１枚毎に把握し得る多種多様の切手類の管理レベル向上のための手段を、前記窓口用切手類保管管理装置およびこれを用いた切手類販売管理システム装置構成の選択追加手段として備えたことを要旨とする。
【００２３】
本発明はさらに、窓口用切手類保管管理装置における切手類の収納並びにピックアップ出し入れを行なう手段の全体を収容する外装ケースを有し、この外装ケースの扉が保管上のセキュリティ維持の手段であるとともに、シートホルダーを高能率で切手類の出し入れが可能に開閉し、且つ切手類を容易に目視確認し得る位置に保持する手段を兼ねているようにした手段を、前記窓口用切手類保管管理装置およびこれを用いた切手類販売管理システム装置構成の選択追加手段として備えたことを要旨とする。
【００２４】
本発明はさらに、窓口用切手類保管管理装置に対し、外装ケース用扉兼シートホルダー保持手段のシートホルダー保持用面に、切手類に対して赤外光等の光線を照射する発光体と、一定間隔でシートホルダー保持用面に１枚分の切手類の面積を判定可能であるだけの高密度で多数整列配置され、反射光を受光検出する受光検出用素子と、１枚分の切手類の面積が登録され、この切手類の面積から切手類の特定及び枚数計算を実行する処理手段とを有する切手類枚数自動認識判定装置をさらに備え、外装ケース用扉兼シートホルダー保持手段のシートホルダー保持用面の切手類に対して発光体により赤外光等の光線を照射し、当該光線の切手類の裏面からの反射光を受光検出する受光検出用素子を一定間隔でシートホルダー保持用面に切手類の種別によって異なる切手類の寸法の差異にかかわらず１枚分の切手類の面積を判定可能となるだけの高密度で多数整列配置された受光検出用素子とを併設させることによりシートホルダー保持用面に置かれた切手類総面積を検出し、１枚分の切手類の面積として登録しておかれた面積データとの比較により切手類の枚数を算出し、また切手類枚数検出装置上に置かれた切手類のシートの位置、傾き、および周囲の余白部分等に関しては、画像解析手法により切手類の種別毎にコンピュータによる記憶並びに判定のコンピュータ処理により判定させることにより切手類枚数を検出する手段を設けることによりシートホルダー中の切手類を自動的に検出認識し端数枚数を判定する切手類枚数自動判定手段を、前記窓口用切手類保管管理装置およびこれを用いた切手類販売管理システム装置構成の選択追加手段として備えたことを要旨とする。
【００２５】
本発明はさらに、窓口用切手類保管管理装置に用いる切手類収容容器の構造を、一定枚数のシートホルダーの単位毎に背表紙となるプレートに保持したブック型バインダーとし、このブック型バインダーの背表紙部分の下端に蝶番を設け、複数の前記バインダーの下端と当該バインダーを収容する集合収容ケースとの間を前記蝶番により結合し、ブック型バインダーの背表紙部分の上端部にはロック用のフックを設け、背表紙部分の単位毎にバインダーを閉じてブック状態にしてから集合収容ケース内に納めるようにしたことを要旨とする。そして、集合収納ケース側にはブック型バインダーの背表紙を検出するセンサーを設け、このセンサーがバインダーの出し入れ操作の状況を検出ようにすることも可能である。また、ブック型バインダーには、背表紙部分の上端部のフックをロックする錠機構が備えられセキュリティを向上させることも可能である。
【００２６】
本発明はさらに、窓口用切手類保管管理装置に用いる切手類収容容器を複数個ずつ単位としてまとめてカセット構造とし、このカセットを交換する手段と、カセットに施錠するエンクローズ手段と、各カセット毎に取り扱い者を登録する手段と、カセットの取り扱いを監視する手段とを備え、勤務時間帯が異なるカセット取り扱い者（窓口係員）の間の業務引き継ぎに際して、係員毎に用意されたカセットの入れ換えを行なうようにし、責任分掌の明確化が可能となるようにした切手類収容容器のカセット化による複数オペレータ間業務引き継ぎの責任分掌明確化のための手段を、前記窓口用切手類保管管理装置およびこれを用いた切手類販売管理システム装置構成の選択追加手段として備えたことを要旨とする。
【００２７】
本発明はさらに、窓口用切手類保管管理装置に、販売した切手類の売り上げ金管理を行なうための金銭登録と金銭保管管理を行なう金銭収納用引き出し（ドロワー）を備えた金銭登録保管管理装置部を備え、且つ金銭登録保管管理装置部の操作入力およびデータ登録のためのデータ入力手段は、窓口用切手類保管管理装置の操作入力およびデータ登録のためのデータ入力手段と兼用可能とし、切手類の現物管理と売り上げ金銭管理の完全一括管理が可能となるようにした金銭ドロワーの装備による切手類売上金銭管理と切手類保管管理との一致の確保のための手段を、前記窓口用切手類保管管理装置およびこれを用いた切手類販売管理システム装置構成の選択追加手段として備えたことを要旨とする。
【００２８】
本発明はさらに、収容容器に引き出し式の容器が用いられ、その駆動機構として、収容容器を収納ケースから外部に向けて押し出すばね手段と、収容容器を収納ケース内に保持するストッパーと、ストッパーを解除するストッパー解除手段とを備え、収容容器の選択指定によりストッパーが解除され、当該指定された収容容器が自動的に引き出されるようにし、ばね駆動機構を用いて自動引き出しできる手段を、前記窓口用切手類保管管理装置およびこれを用いた切手類販売管理システム装置構成の選択追加手段として備えたことを要旨とする。
【００２９】
本発明はまた、郵便切手、収入印紙等の切手類の収納管理対象物を収納する切手類保管管理用の収容容器に複数のシートホルダーを用い、これらのシートホルダーが回転軸の周囲に略放射状に配列され、併せてこれらシートホルダーを回転駆動するシートホルダー駆動部材と、シートホルダーの回転動作を規制するストッパー部材とを備え、複数のシートホルダーを回転頁めくり方式により検索するようにした窓口用切手類保管管理装置及びこれを用いた切手類販売管理システム装置を実現し、事務所に設置されて切手類の保管管理を自動化するとともに、販売集計をも自動化することを要旨とする。
【００３０】
本発明はさらに、シートホルダー駆動部材がシャフトとその両端のディスクとからなり、複数のシートホルダーが両ディスク間でシャフトの周囲に配列されるようにして、装置のシンプル化、低コスト化を図る構造を、前記窓口用切手類保管管理装置およびこれを用いた切手類販売管理システム装置構成の選択追加手段として備えたことを要旨とする。
【００３１】
本発明はさらに、ディスクの内側面を植毛によりブラシ状に形成して、ディスクの駆動力をシートホルダーに確実に伝達する手段を、前記窓口用切手類保管管理装置およびこれを用いた切手類販売管理システム装置構成の選択追加手段として備えたことを要旨とする。
【００３２】
本発明はさらに、切手類取り出し用の窓を有し、回転頁めくり方式に配列された複数のシートホルダーと、これらのシートホルダーを回転駆動するシートホルダー駆動部材と、シートホルダーの回転動作を規制するストッパー部材とを収容する外装ケースを備え、この外装ケースに窓を開閉する扉と、扉の開閉状態を検出するセンサーと、センサーの検出に基づいて扉の開閉状態を表示する表示器とを併設し、セキュリティ管理上有効な手段を、前記窓口用切手類保管管理装置およびこれを用いた切手類販売管理システム装置構成の選択追加手段として備えたことを要旨とする。
【００３３】
本発明はさらに、切手類の取り出し口を有し、回転頁めくり方式に配列された複数のシートホルダーと、これらのシートホルダーを回転駆動するシートホルダーとを収容した筒状ケースカセットを備え、外装ケースに着脱可能に装填するようにし、各係員毎に責任分掌を明確化する手段を、前記窓口用切手類保管管理装置およびこれを用いた切手類販売管理システム装置構成の選択追加手段として備えたことを要旨とする。
【００３４】
本発明はさらに、筒状ケースカセットの切手類の取り出し口にこれを開閉する扉と、この扉を施錠するための錠とを備え、各係員毎に責任分掌を明確化する手段とともに、セキュリティ管理上有効な手段を、前記窓口用切手類保管管理装置およびこれを用いた切手類販売管理システム装置構成の選択追加手段として備えたことを要旨とする。
【００３５】
本発明はさらに、筒状ケースカセットの一部に各シートホルダーに収納されている切手類の種類、保管枚数、さらに販売枚数を記憶する記憶手段を、外装ケース側に配設された本体装置に接続可能に備え、切手類の保管管理、販売管理、係員の責任分掌の明確性の向上を図る手段を、前記窓口用切手類保管管理装置およびこれを用いた切手類販売管理システム装置構成の選択追加手段として備えたことを要旨とする。
【００３６】
本発明はさらに、各シートホルダーに頁識別読取用コードを備えるとともに、ストッパー部材にそのコード読取部を併設し、シートホルダーの検索を効率良く、高速に実行する手段を、前記窓口用切手類保管管理装置およびこれを用いた切手類販売管理システム装置構成の選択追加手段として備えたことを要旨とする。
【００３７】
本発明はさらに、シートホルダー内の切手類を撮像する撮像手段と、撮像手段により撮像された切手類の画像を認識解析し、切手類の種類、枚数を検出する切手類種別枚数検出手段とを備え、切手類の保管管理、販売管理を効率良く、高速に実行する手段を、前記窓口用切手類保管管理装置およびこれを用いた切手類販売管理システム装置構成の選択追加手段として備えたことを要旨とする。
【００３８】
本発明はさらに、シートホルダー駆動部材を駆動する電動式駆動手段および手動式駆動手段と、各駆動手段の切り替えを行う切替手段とを備え、停電の発生など非常時に対応できる手段を、前記窓口用切手類保管管理装置およびこれを用いた切手類販売管理システム装置構成の選択追加手段として備えたことを要旨とする。
【００８３】
【実施の形態】
以下、本発明の種々の実施の形態について図面を参照しながら説明する。
（実施の形態１）
図１は本発明の窓口用切手類保管管理装置の全体の外観構成を表す斜視図である。この図において、符号０１００は窓口用切手類保管管理装置の本体である。この窓口用切手類保管管理装置０１００は、収容ケース０１１１と、この収容ケース０１１１の中に引出し可能に収容され、保管管理物である切手類を収納する複数の収納容器０１０１と、切手類の販売操作などに際して切手類の種類、販売枚数などのデータを入力するデータ入力手段としてのキーボード０１２０と、を有している。窓口用切手類保管管理装置０１００はまた、その前面部分に、文字や数字などを表示する情報表示器０１３０と、情報表示器０１３０の表示を切り替える表示切替部０１３１とを有している。また、窓口用切手類保管管理装置０１００は、その側面に郵便窓口ＰＯＳなど他の機器との間で情報交換を行なうためのフロッピーディスクなどの外部記憶媒体を挿入するディスク挿入口０１５１を有し、上にはプリンタによって印字されたハードコピーの排出口０１４１が設けられている。キーボード０１２０は、切手類の枚数等を入力するための数字キー０１２１と、数字キー０１２１の入力切替を行なう入力切替キー０１２２と、切手類に印刷されたバーコードなどのコード情報を読み取るコードリーダ０１２３とを有している。
【００８４】
図２は本発明の第１の実施の形態に係る窓口用切手類保管管理装置０１００の収容ケース０１１１の内部構成を概略的に示す側面断面図、図３は同じく本発明の第１の実施の形態に係る窓口用切手類保管管理装置０１００の収容ケース０１１１の内部構成を透視して示す斜視図である。この収容ケース０１１１の内部には、制御部０１０３と、制御部０１０３によって動作制御され、ロール紙０１４０Ｒに印字操作を行なうプリンタ０１４０と、業務処理情報用記憶媒体リードライト装置としてのフロッピーディスクドライバーなどのディスク装置０１５０と、切手類の種別を読み取る切手類種別読取認識装置０５１０とが備えられている。また、収容ケース０１１１の下部には、外部機器との間で情報交換のマッチングをとるためのインタフェース部０１６０が設けられるとともに、収納容器０１０１の奥端部分には当該収納容器０１０１と収容ケース０１１１との間に収納容器０１０１の引出し押し込みを検出する出し入れ検出手段としての検出センサー０１０２が設けられている。検出センサー０１０２は、近接スイッチ、リードスイッチ、フォトインタラプター、マイクロスイッチのいずれかから構成されている。さらに、収容ケース０１１１の各収容容器０１０１の出し入れ口付近には、この収容容器０１０１を出し入れ駆動するための引出し出入駆動機構２００１が設けられるとともに、収容ケース０１１１の内部には引出し出入駆動機構２００１の動作を制御する引出し出入駆動制御回路２００２が設けられている。引出し出入駆動機構２００１は個々の収容容器０１０１について設けられており、また１つの収容容器０１０１についてみると、その収容容器０１０１の両側に、収容容器０１０１を挟むようにした対になって設置されている。
【００８５】
図４は図１乃至図３に示した窓口用切手類保管管理装置０１００を運用するためのシステムの基本回路構成を示すブロック図である。図４において、符号０１００は先にも述べた通りの窓口用切手類保管管理装置の本体を表す。この窓口用切手類保管管理装置０１００において、収納容器０１０１は、検出センサー０１０２に接続され、検出センサー０１０２のデータは制御部０１０３に送られるように接続されている。なお、検出センサー０１０２は収納容器０１０１に対して非接触で収容容器０１０１の出し入れを検出するようにしてもよい。制御部０１０３は窓口用切手類保管管理装置０１００の各機能部の動作をコントロール制御するためのコンピュータ（ＣＰＵ）０１０５と、ＣＰＵ０１０５を動作させるための各種プログラムおよびこのＣＰＵ０１０５の処理動作によって得られたデータを格納する記憶部０１０７と、検出センサー０１０２を制御し、また検出情報をデータ処理に適した信号に変換するセンサー制御部０１０４とを有し、また、この制御部０１０３内にはキーボード０１２０やプリンタ０１４０等の各機能部をＣＰＵ０１０５に接続するためのバスライン０１０６が設けられている。
【００８６】
窓口用切手類保管管理装置０１００に、引出し出入駆動機構２００１および引出し出入駆動制御回路２００２を設けたことにより、操作用キースイッチ０１２０、０１２２の操作、或いはこの実施の形態に係る窓口用切手類保管管理装置０１００に接続された郵便窓口事務処理機器０２００の操作キースイッチ０２１６の操作による切手類の種別の選択指定操作入力によって窓口用切手類保管管理装置０１００の内に収容してある複数種類の切手類の中から該当する種類の切手類を収納してある切手類収容容器０１０１を自動的に検索選択し、駆動することによって当該切手類を収納してある収容容器０１０１を自動的に引き出すことができる。
【００８７】
ここで、引出し出入駆動機構２００１の具体的な構成としては、小型モータの駆動軸に遊星歯車減速器を同軸に装着し、同軸にピニオンを備えた駆動源を各収容容器０１０１毎に備え、上記駆動源のピニオンに係合するラックを収容容器０１０１側面に装着して備え、上記ラックを上記駆動源のピニオンにより駆動するという方式を採用している。
【００８８】
また、このようなモータ駆動方式に代えて、図５５や図５６に示すようなばね駆動方式を用いることができる。すなわち、図５５では、ばね手段にコンストンスプリング５５０１が利用されている。コンストンスプリング５５０１はその一端が収容ケース０１１１において収容容器０１０１の収納部奥側面に連結され、その他端が収納部の前側端に備えられた巻締め機構５５０２に巻回されている。このコンストンスプリング５５０１により均等な張力が設定される。このようにして、収容容器０１０１が収納ケース０１１１内に収納されると、コンストンスプリング５５０１が巻き締められるようになっている。一方、収納ケース０１１１において、収容容器０１０１の収納部両側の奥側端にラッチ５５０３が水平方向に向けて傾動可能に取り付けられ、その先端のフック部５５０４が収容容器０１０１両側面に形成された係止溝５５０５に係合可能になっている。またさらに、ラッチ５５０３の後端側近傍にラッチ解除用ソレノイド５５０６が配設されて、その進退作動部がラッチ５５０３の後端部に連結されている。
【００８９】
一方、図５６では、ばね手段にロングスプリング５６０１が利用されている。収容容器０１０１の両側面奥側端にロングスプリング５６０１の固定部５６０２が設けられ、収納ケース０１１１において各収容容器０１０１の収納部の両側、前側端に軸を介してロングスプリング用のプーリ５６０３が支持されている。ロングスプリング５６０１はその一端が収納ケース０１１１において収容容器０１０１の収納部奥側面に連結され、その中間を収納部両側の前側端に軸支されたプーリ５６０３に巻き掛けられて、その他端が収容容器０１０１両側の固定部５６０２に取り付けられている。このようにして、ロングスプリング５６０１が収容容器０１０１と収納ケース０１１１との間で均等な張力になるように設けられている。なお、この場合もまた、図５５に示すラッチ５５０３とラッチ解除用ソレノイド５５０６が備えられている。
【００９０】
このようにして、収容容器０１０１は手動により、収納ケース０１１１へ押し入れられ、収容容器０１０１が完全に押し込まれると、その両側の係止溝５５０５にラッチ５５０３が係合してロックされる。これら収容容器０１０１の引き出しは自動的に行われる。ここでは、切手種別指定キーなどのキー操作により、指定先の収容容器０１０１をロックするラッチ５５０３が、ラッチ解除用ソレノイド５５０６の引き動作により収容容器０１０１の係止溝５５０５から離れる方向に傾動されて、収容容器０１０１との係合が解除され、コンストンスプリング５５０１またはロングスプリング５６０１に蓄えられた張力によりその収容容器０１０１が収納ケース０１１１から外部に押し出される。
【００９１】
このように収容容器０１０１を電動駆動機構によらず、ばね駆動機構により自動引き出しできるようにしたことによって、駆動モータを不要として省電力化、あるいはシンプル化を推進し、コストダウンを図ることができる。その他、様々な機構を考えることができる。
【００９２】
かかる構成を有する窓口用切手類保管管理装置０１００の基本動作である切手類の販売処理動作について説明する。図５は本実施の形態における窓口用切手類保管管理装置０１００の切手類販売動作を説明するフロー図である。このフロー図に示すように、窓口において切手類の購入の申し出があると処理ステップ（以下、単にステップという）ＳＴ３８において操作用キースイッチ０１２０のスタートキーが押され、これによって動作が開始され、ステップＳＴ３９において切手類の種別のリストがタッチパネルに表示される。次にステップＳＴ４０において顧客の指定する種別のタッチパネル表示部分が操作者の指でタッチされると、ステップＳＴ４１において指定の切手類を収容してある収容容器０１０１を自動選択駆動により収容ケース０１１１から自動押し出しする。さらにステップＳＴ４２では、切手類の種別データの入力が自動的に実行され、また、これと同時にステップＳＴ４３において切手類の収容容器０１０１から必要枚数の切手類を取り出した後、収容容器０１０１は収容ケース０１１１の中に納められる。このとき、収容ケース０１１１は、引き出すときは自動操作によって駆動されるが、戻すときは手動である。なお戻すときも、何らかのボタン操作によって引出し出入駆動機構を逆方向へ作動させ自動的に収容ケース０１１１内に戻るようにしてもよい。次にステップＳＴ４４において収容容器０１０１の錠が自動的にロックされ、ステップＳＴ４５において販売枚数の入力の要求が画面表示される。そして、ステップＳＴ４６において販売枚数がキー入力されると、ステップＳＴ４７において販売金額の自動計算が行なわれ、また一方、収容ケース０１１１側においては切手類の残数が計算される。そして、ステップＳＴ４９において上記販売金額および切手類の残数が画面表示される。次に、ステップＳＴ５０において顧客から代金を受け取った操作者により受取金額が入力され、これに基づいてステップＳＴ５１において釣り銭の計算が実行される。そして、上記計算の結果、ステップＳＴ５２において販売枚数、販売金額、切手類の残数、および入金額と釣り銭が画面表示される。これに基づいて操作者はステップＳＴ５２において申し出の切手類、受領証、釣り銭をお客へ渡す。これにより切手類販売における商品  （切手類）と代金の交換受け渡しが完了する。次にステップＳＴ５３において操作者が終了キーを押すと、窓口用切手類保管管理装置０１００の表示部は初期画面に戻る。
【００９３】
以上の処理により、切手類の販売毎に、販売の間における収容容器０１０１の出し入れ動作は自動化され、またどの収納容器０１０１に対して何枚の切手類が販売されたか、および残りの切手類の数量の集計が行なわれる。情報表示器０１３０は、窓口用切手類保管管理装置０１００での販売業務において切手類の販売枚数を表示する。
【００９４】
（実施の形態２）
次に窓口用切手類保管管理装置０１００の収納容器０１０１についてロック（カギ掛け）処理動作を行なえるようにした本発明の第２の実施の形態について説明する。図６はこの実施の形態に係る手動錠操作の電子的チェック機構の断面構造を表す図、図７は上記手動錠の電子的チェックの回路構成図（ブロック図）である。図６において、符号２１１０は手動錠動作センサー装置部、２１１１は手動錠連動フック、２１１２はフック戻しスプリング、２１２０は手動錠動作電子信号化回路部、２１２１はセンサー、２１３０は手動錠、２１３１は手動錠従連動軸、２１３２はフック作動用カムである。その他の部分の構成は上記第１の実施の形態と同一である。
【００９５】
かかる構成において、手動錠２１３０に鍵を挿入して回すと、その回転が手動錠従連動軸２１３１によりフック作動用カム２１３２に伝えられ、当該フック作動用カムによって手動錠連動フック２１１１が持ち上げられ、リフト状態となり収容容器０１０１との係合が解除され、収容容器０１０１は引き出すことが可能となる。その状態において手動錠連動フック２１１１がセンサー２１２１の検出部位から抜け出ることによって手動錠の開錠状態を検知するようにしてある。その検知状態を手動錠動作電子信号化回路２１２０によって電子信号に変換されたコンピュータ０１０５による管理に供することが可能になる。手動錠２１３０をロック方向に回し施錠状態にすると、この作動はフック作動用カム２１３２に伝えられ、当該カムによるリフトが解除され、手動錠連動フック２１１１がフック戻しスプリング２１１２によって戻されて収容容器０１０１と係合してロックされ、その状態がセンサーおよび手動錠動作電子信号化回路によって電子信号としてコンピュータ０１０５による管理に供される。これによって手動錠の電子的チェックを行なうことができ、セキュリティの向上を図ることができる。
【００９６】
（実施の形態３）
次に窓口用切手類保管管理装置０１００の収納容器０１０１についてキー操作による自動開錠システムに関する本発明の第３の実施の形態について説明する。図８はこの実施の形態に係るキー操作による自動開錠システムの構造を表す側面断面図、図９は上記キー操作による自動開錠システムの回路構成を表すブロック図である。図８において、符号２２１０は自動開錠機構、２２１１は施錠用にしたものであり、ラッチレバー、２２１２は開錠用にしたものであり、電磁コイル、２２１３は戻しスプリング、２２１４は電磁石鉄芯、２２１５は通電ケーブル、２２２０は操作キー、２２３０は自動開錠制御回路、２２４０は収容容器０１０１を押し出すための収容容器押出スプリングである。その他の部分の構成は上記第１の実施の形態と同一である。
【００９７】
かかる構成において、操作キー２２２０等の操作装置の操作により自動開錠制御回路２２３０が作動し、通電ケーブル２２１５を通じて目的とする収容容器０１０１に相対する開錠用電磁コイル２２１２に駆動電流が印加されることにより、電磁石鉄芯２２１４が吸引され、施錠用ラッチレバー２２１１が作動し、収容容器０１０１との係合が解除される。これにより収容容器押出スプリング２２４０の作用により収容容器０１０１が少し押し出されてくるから、その収容容器０１０１が開錠されたのかが前面から見て判別でき、操作者が当該収容容器０１０１を手で引き出せばよいことになる。次に、引き出されていた収容容器０１０１を手で押して窓口用切手類保管管理装置０１００内に収納すると、施錠ラッチレバー２２１１と収容容器０１０１とが再度係合し、施錠状態に戻る。この実施の形態における電動駆動自動化錠と上記第２の実施の形態における収容容器の自動駆動機構との組み合わせ応用を行なえば、上に説明したような手動による収容容器０１０１の出し入れを行なわなくても状の操作かまたは収容容器０１０１の出し入れ操作まえの全てが自動駆動化できることになる。そして、自動開錠制御回路２２３０を経由して錠のコントロールが行なわれることになるので、その自動開錠制御回路２２３０において電子化情報として、コンピュータに情報を伝送し、セキュリティ管理を行なうようにすれば、電子チェックによるセキュリティ向上を図ることができる。
【００９８】
（実施の形態４）
次に窓口用切手類保管管理装置０１００の収納容器０１０１についてカード等の記録媒体を用いて金銭精算取引の処理動作を行なえるようにした本発明の第４の実施の形態について説明する。図１０はこのカード式金銭精算取引処理動作を行なえるように構成された本発明の第４の実施の形態に係る窓口用切手類保管管理装置０１００を示す側面断面図である。また図１１は同じく上記窓口用切手類保管管理装置０１００の収容ケース０１１１の内部構成を透視して示す斜視図である。この実施の形態に係る窓口用切手類保管管理装置０１００は、制御部０１０３に接続された金銭精算取引用記録媒体カードリードライト装置２３０１を有している。その他の構成は上記第１の実施の形態と同じである。図１２は図１０、図１１に示した窓口用切手類保管管理装置０１００を運用するためのシステムの基本回路構成を示すブロック図である。図１２から明らかになるように、上記金銭精算取引用記録媒体カードリードライト装置２３０１は、バスライン０１０６を介してＣＰＵ０１０５に接続されている。
【００９９】
かかる構成を有する窓口用切手類保管管理装置０１００の個人認識処理動作において、上記金銭精算取引用記録媒体カードリードライト装置２３０１には、プリペイドカード、郵便貯金カード、電子マネー、信販カード等の金銭支払い精算のための磁気記録媒体カード、またＩＣカード等の記録媒体が挿入され、この記録媒体の読み取りや書き込みを行なうことにより料金精算が行なわれる。このように、記録媒体を使った金銭精算が行なえるため、取引の簡易化を図ることができる。
【０１００】
（実施の形態５）
次に窓口用切手類保管管理装置０１００の収納容器０１０１について操作者や顧客の個人認識処理動作を行なえるようにした本発明の第５の実施の形態について説明する。図１３はこの個人認識処理動作を行なえるように構成された本発明の第５の実施の形態に係る窓口用切手類保管管理装置０１００を示す側面断面図である。また図１４は同じく上記窓口用切手類保管管理装置０１００の収容ケース０１１１の内部構成を透視して示す斜視図である。この実施の形態に係る窓口用切手類保管管理装置０１００は、制御部０１０３に接続された個人認識装置２４０１を有している。その他の構成は上記第１の実施の形態と同じである。図１５は図１３、図１４に示した窓口用切手類保管管理装置０１００を運用するためのシステムの基本回路構成を示すブロック図である。図１５から明らかになるように、上記個人認識装置２４０１は、バスライン０１０６を介してＣＰＵ０１０５に接続されている。
【０１０１】
かかる構成を有する窓口用切手類保管管理装置０１００の個人認識処理動作において、上記個人認識装置２４０１は、その窓口用切手類保管管理装置０１００を取り扱う操作者等の個人認識を種々の方法で行ない、その認識結果に基づいて作動、不作動を決定する。また、上記第２の実施の形態と組み合わせることにより、個人認識装置による作動指令操作により電気作動錠の自動施錠および自動解錠が行なえ、手動錠の電子的チェックを行なうことができ、セキュリティの向上を図ることができる。
【０１０２】
（実施の形態６）
次に窓口用切手類保管管理装置０１００の収納容器０１０１について切手類の枚数の自動検出処理動作を行なえるようにした本発明の第６の実施の形態について説明する。図１６はこの切手類の枚数の自動検出処理動作を行なえるように構成された本発明の第６の実施の形態に係る窓口用切手類保管管理装置０１００を示す側面断面図である。また図１７は同じく上記窓口用切手類保管管理装置０１００の収容ケース０１１１の内部構成を透視して示す斜視図である。この実施の形態に係る窓口用切手類保管管理装置０１００は、制御部０１０３に接続されて駆動制御される撮像装置２５０１と、切手類枚数検出装置２５０２とを有している。撮像装置２５０１は、収容ケース０１１１内の、収容容器０１０１の上方で、収容容器０１０１の収納位置よりも出口側の位置に設置されており、且つ収容容器０１０１を監視するようにセットされている。したがって複数段にわたって配設されている収容容器０１０１の１つが引き出されると、その引き出された収容容器０１０１が撮像装置２５０１の視野に入り撮像されるようになっている  （図１６参照）。この撮像装置２５０１には、例えば電子カメラなどが用いられる。その他の構成は上記第１の実施の形態と同じである。図１８は図１６、図１７に示した窓口用切手類保管管理装置０１００を運用するためのシステムの基本回路構成を示すブロック図である。図１８から明らかなように、上記撮像装置２５０１と切手類枚数検出装置２５０２は、バスライン０１０６を介してＣＰＵ０１０５に接続されている。
【０１０３】
かかる構成を有する窓口用切手類保管管理装置０１００の切手類枚数自動検出処理動作について説明する。図１９はこの第６の実施の形態における切手類枚数自動計数を四角形輪郭認識によって行なう方式の概念図である。この図において、符号０１１０は収容容器０１０１の中に収納される切手類シートの、個々の切手類を示し、２５１１はシート状の切手類から利用者に販売する分だけ切り取ったために生じた欠損部分を示す。
【０１０４】
この切手類枚数自動検出処理動作において、上記撮像装置２５０１は、収容容器０１０１内を走査し、収容容器０１０１内に収納された切手類０１１０の印刷の四角形の輪郭をパターン認識し、切手類枚数を判定する。シート状の切手類から利用者に販売する分だけを切り取ったことにより生じた欠損部分２５１１は、濃色の背景プレート上などにシート状切手類を載せることにより区別される。シート状切手類を収容容器０１０１内に複数枚収納する場合は、黒または灰色の間紙をシートとシートの間に挟んでおく方法によっても撮像時にシート状切手類の欠損部分と残存部分の区別が可能となる。
【０１０５】
図１９の方法とは別の方法として、図２０に示す切手類枚数自動検出処理方法がある。図２０はこの第６の実施の形態における切手類枚数自動計数を文字認識またはパターン認識による枚数算出によって行なう方式の概念図である。この図において、符号０１１０は収容容器０１０１の中に収納される切手類シートの、個々の切手類を示し、また２５１２は切手類０１１０の中に印刷表示された種別判定用特徴パターンで、切手類０１１０の種別の区別認識判定の対象となる文字を示している。この方法は、切手類０１１０を撮像装置２５０１により撮像し、印刷文字等の特徴あるパターンを認識することにより、残存枚数の判定算出を行なう方式である。この方法の場合は、切手類の種別や金額の認識判定も行なうように備えることができるようになる。またさらに別の方法として、図２１に示す切手類枚数自動検出処理方法がある。図２１はこの第６の実施の形態における切手類枚数自動計数を蛍光印刷枠の認識によって行なう方式の概念図である。この図において、符号０１１０は収容容器０１０１の中に収納される切手類シートの、個々の切手類を示し、また２５１３は蛍光色枠印刷で、切手類の認識判定の対象となる蛍光印刷マークを示している。現在市販されている切手類には、郵便切手を貼付した郵便物を対象とした自動押印機（スタンプ機）により切手貼付の有無を判定するために郵便切手の周辺部分に蛍光色枠印刷２５１３を施している。図２１に示す切手類枚数自動検出処理方法は、この蛍光色枠印刷２５１３を撮像装置２５０１により撮像し、上記蛍光色枠印刷２５１３を蛍光色読取判定器により読み取ることにより切手類の残存枚数の判定算出を行なう方式である。
【０１０６】
（実施の形態７）
次に窓口用切手類保管管理装置０１００の収納容器０１０１について切手類の枚数の自動認識判定処理動作を行なえるようにした本発明の第７の実施の形態について説明する。図２２はこの第７の実施の形態に係る切手類枚数の自動認識判定処理方法の一例を説明する側面断面図である。また図２３は同じく上記切手類枚数の自動認識判定処理方法の一例を説明する上面図である。この実施の形態では、切手類枚数の自動認識判定処理を電子カメラによる撮像画像認識解析方式によっているものであり、図２２は図２３中のＡ−Ａ線における断面図に相当する。図２２および図２３において、符号２６０１はバックグラウンド板、２６０２は切手類保管管理容器（これまでの実施の形態における収容容器０１０１に相当する）、２６０３はバージン切手類シート、２６０４は端数切手類シート、１１０１は切手類カウント用撮像カメラ、２６０５は切手類カウント用撮像カメラ１１０１の撮像画角を示しており、この撮像画角は切手類シートの全体を視野の中に納めることができるよう設定されている。
【０１０７】
かかる実施の形態における切手類枚数の自動認識判定処理動作について説明する。切手類カウント用撮像カメラ１１０１によって切手類シートを撮像すると図２３に示すような画像が得られる。この画像を基に現在の切手類の枚数を認識しカウントする。このときの認識およびカウントの方法は、一例としては先の第６の実施の形態における切手類枚数検出装置２５０２に切手類シートの全体面積を記憶させておき、撮像カメラ１１０１によって得られた画像の切手類のある部分と欠落した部分の面積の差乃至は比を算出し、面積計算から切手類の枚数を算出する方法がある。また別の方法としては、切手類シート中の個々の切手類の特徴パターン２５１２或いは蛍光色枠印刷２５１３を認識することにより切手類の枚数を算出する方法がある。
【０１０８】
なお、バックグラウンド板２６０１は、艶消し無地濃色の撮像背景に適したプレートで、切手類保管管理容器２６０２の上部の少し浮いた位置に設けられた支持用縁部に載置しておき、シート状切手類の一部を切り取って販売した残存部分の端数切手類シート２６０４を当該バックグラウンド板２６０１の上に載せて置くようにすれば、上記第６の実施の形態による方法により切手類の端数分の自動計数が常に行なえるようになり、切手類シートの間に間紙を挟んでおくことが不要となる。そして、未だ一部分を切り取ってないバージン切手類シート２６０３はバックグラウンド板２６０１の下の空間部分に収納し、保管管理を行なうようにする。
【０１０９】
（実施の形態８）
次に窓口用切手類保管管理装置０１００について金額自在設定切手類（すなわち、いわゆる変額切手類）の発行処理動作を行なえるようにした本発明の第８の実施の形態について説明する。図２４はこの変額切手類発行処理動作を行なえるように構成された本発明の第８の実施の形態に係る窓口用切手類保管管理装置０１００を示す側面断面図である。図２５は同じく上記窓口用切手類保管管理装置０１００の外観構造を示す斜視図である。また図２６は図２４、図２５に示した窓口用切手類保管管理装置０１００を運用するためのシステムの基本回路構成を示すブロック図である。図２４乃至図２６において、符号２７１０は変額切手類発行装置、２７０１は変額切手類の発行処理作業を行なうサブＣＰＵ、２７０２は変額切手類発行プリンター、２７０３は領収書用プリンター、２７０４は操作キーボード、２７０５は文字数字表示器、２７０６は変額切手類用紙、２７０７は領収書用紙、２７０８は変額切手類および領収書発行口、２７０９はサブＣＰＵ２７０１と各機能部とを接続するサブＣＰＵ用バスラインである。そして２７１０は上記各機能部材によって構成される変額切手類発行装置である。変額切手類発行装置２７１０は、バスライン０１０６を介してＣＰＵ０１０５に接続されている。また変額切手類発行装置２７１０の内部において、変額切手類発行プリンター２７０２、領収書用プリンター２７０３、操作キーボード２７０４および文字数字表示器２７０５は、サブＣＰＵ用バスライン２７０９を介してサブＣＰＵ２７０１に接続されている。
【０１１０】
かかる実施の形態における変額切手類発行処理動作について説明する。切手類保管管理装置０１００には記念切手などのシート状でなくてはならない切手類を収納し、切手類の販売管理や販売手続などを行なう。しかし、特に指定のない場合には、変額切手類発行装置２７１０の操作キーボード２７０４を用いて、金額および発行枚数などの所用の指定事項のデータを入力すれば、金額が未記入の変額切手類用紙２７０６に対して変額切手類発行プリンター２７０２によって指定金額を印字して切手類を発行する。領収書を必要とする場合には、操作キーボード２７０４により指定すれば、領収書用紙２７０７に領収書用プリンター２７０３により受取金額を印字して発行する。
【０１１１】
このような変額切手類発行装置２７１０を切手類保管管理装置０１００と接続して用いるようにすれば、切手類の在庫管理の対象として残存させなければならないのは記念切手などの特殊な切手類に限定され、在庫管理の必要な切手類の種類が削減される。そして、販売管理、切手類発売時に手間のかかるシート状切手類からの端数の切り取り作業を低減でき、切手類の補充請求の手間も削減することができるようになる。
【０１１２】
（実施の形態９）
次に窓口用切手類保管管理装置０１００の収納容器０１０１について切手類の保管収納方法及び選択出入の方式を改良した本発明の第９の実施の形態について説明する。図２７はこの第９の実施の形態に係る切手類保管収納方法及び選択出入の方式において、シートホルダーを開帳した状態を示す斜視図、図２８はこの第９の実施の形態に係る切手類保管収納方法及び選択出入の方式において、シートホルダーを閉じた状態を示す斜視図である。また図２９はこの第９の実施の形態に係る切手類保管収納方法及び選択出入の方式において、シートホルダーをシートホルダー格納・セレクターに収納した状態を示す斜視図である。さらに図３０はこの第９の実施の形態に係る切手類保管収納方法及び選択出入の方式を採用する切手類保管管理装置の構成例を示す断面図である。図２７乃至図３０において、符号２８１０は収容容器０１０１の変形態様であるシートホルダー全体を表し、切手類シートを保管管理する単位となっている。０１１０は切手類シートである。２８０１は樹脂製のホルダーベース、２８０２は同じく樹脂製のホルダーカバーで、これらホルダーベース２８０１とホルダーカバー２８０２とでシートホルダー２８１０（第１の実施の形態における収容容器０１０１に相当する）を構成している。２８０３はホルダーベース２８０１の開閉縁部に内側に折り畳まれた状態で設けられた止め片、２８０４はホルダーベース２８０１の下辺部に設けられ切手類シート０１１０をシートホルダー２８１０内に保持するシート保持片、２８０６は切手類の検索時に使用されるシートホルダー２８１０または切手類シート０１１０の位置検索インデックス部、２８０５はシートホルダー２８１０を保持するために用いられる穴である。切手類シート０１１０は、ホルダーベース２８０１の上に置かれ、ホルダーカバー２８０２で挟んでカバーされて保管される。図２７ではホルダーカバー２８０２を開いて切手類を置いた状態を示し、図２８はホルダーカバー２８０２を閉じて切手類を挟み込んだ状態を示している。２８１０はシートホルダー全体を表す。また、符号２８２０はシートホルダー格納・セレクターで、シートホルダー２８１０を保持するとともに、目的とするシートホルダー２８１０を検索し選出する機能を有する。２８４０は外装ケースであり、シートホルダー格納・セレクター２８２０を収納し保管するためのものである。２８５０は、外装ケース２８４０の前面に設けられた折り畳み式のアコーディオン状の扉であり、扉２８５０を折り畳み、外装ケース２８４０内に収納して扉２８５０を開けた状態を示し、２８５１（点線で示してある）は当該扉２８５０を前面に引き降ろして閉扉した状態を示す。シートホルダー格納・セレクター２８２０は、シートホルダー２８１０を切手類シート０１１０の厚みの方向へ重なりの状態に集積保管し、外装ケース２８４０の中に支持ピン２８２１によってシートホルダー２８１０を回転可能な状態に支持される。またシートホルダー格納セレクター２８２０には、内部に且つ当該シートホルダー２８１０の位置を判別する位置検出部材２８３１と、当該集積保管中の多数のシートホルダー２８１０の中から必要とする切手類が収納してあり選択抽出の対象となるシートホルダー２８１０を自動検索してピックアップする取り出し機構２８３０とを備え、シートホルダー２８１０を開けて目的の切手類の出し入れができるようにしている。なお、２８１５はセレクトされたシートホルダー２８１０を外装ケース２８４０からケース外に回転させて出された位置を点線で示している。
【０１１３】
かかる実施の形態により、第１の実施の形態以下、先行する実施の形態における引き出し方式による収容容器０１０１の構造をさらに高級化してカバー付きのシートホルダーとし、それを１単位として厚み方向の重なりの状態に集積保管するようにしたものとなる。そして、集積保管してあるシートホルダーの中から、目的とするシートホルダーを自動検索するために、位置検索インデックス部２８０６を用いてこの部分にあるマーキングコードを機械的にセンサーにより検出して目的とするシートホルダー２８１０をプッシュすることによりピックアップする。
【０１１４】
（実施の形態１０）
次に窓口用切手類保管管理装置０１００についてシートホルダー方式の切手類保管管理に関して切手類の出入作業を容易化し得るようにした本発明の第１０の実施の形態について説明する。図３１はこの切手類の出入作業を容易にするように構成された本発明の第１０の実施の形態に係る窓口用切手類保管管理装置０１００を示す側面断面図である。図３２は同じく上記窓口用切手類保管管理装置０１００の外観構造を示す斜視図である。図３１において、符号２８１０はシートホルダー、２８２０はシートホルダー格納・セレクター、２８４０はシートホルダー２８１０をシートホルダー格納・セレクター２８２０とともに格納する外装ケース、２９１０は切手類出入用シートホルダー保持手段、２９１１は外装ケース２８４０および切手類出入用シートホルダー保持手段２９１０を支持するスタンド、０１１０は切手類シートである。スタンド２９１１は机などの水平面上に設置されるベース部２９１２と、ベース部２９１２から上方へ延びた支柱部２９１３と、支柱部２９１３の先端部分に設けられたケース取付部２９１４とを有している。支柱部２９１３は図３１から明らかになるように、スタンド２９１１を側方から見て後方へやや傾斜してベース部２９１２上に立設されている。そして外装ケース２８４０は、内部にシートホルダー２８１０とシートホルダー格納・セレクター２８２０を収納した状態で、シートホルダー２８１０の取り出し口が下向きになるような姿勢でケース取付部２９１４に取り付けられている。また、シートホルダー保持手段２９１０は、支柱部２９１３の中間部分において外装ケース２８４０の下側に隣接して位置している。このシートホルダー保持手段２９１０は、外装ケース２８４０と別体のものとして支柱部２９１３に取り付けられていてもよいが、その他にも外装ケース２８４０の本体にヒンジ止めされた蓋或いは扉を兼用するようにしてもよい。すなわち、外装ケース２８４０の本体にヒンジ止めされた扉は外装ケース２８４０を逆さまにしてケース取付部２９１４に取り付けたことにより、ロックを外せば容易に下方へ回転して扉が開き、そのまま支柱部２９１３に支えられてシートホルダー保持手段２９１０となるのである。
【０１１５】
かかる構成を有する窓口用切手類保管管理装置０１００のシートホルダー保管および取り出し動作について説明する。通常の状態では、外装ケース２８４０のシートホルダー取り出し口は扉で閉鎖されているか、或いは個々のシートホルダー２８１０が落下しないように支持している。そして、或る切手について注文を受けたときは、その切手が収納されているシートホルダー２８１０がシートホルダー格納・セレクター２８２０により検索され、扉が開けられてそのシートホルダーが引き出される（ピックアップ動作）。このシートホルダーは、穴２８０５部分でピン止められているから、図３１中矢印Ｓで示すようにピックアップ動作によって穴２８０５部分で回動しながら上方から下方へ降りてきてシートホルダー保持手段２９１０上に到達する。さらにシートホルダー２８１０は、ホルダーベース２８０１とホルダーカバー２８０２とが２つ合わせ状態にたたまれているから、図３２に示すように、シートホルダー保持部材２９１０上で開かれて切手が取り出される。シートホルダー２８１０をしまうときは上記とは逆に、先ずシートホルダー２８１０を畳み上方へ持ち上げるとシートホルダー２８１０は穴２８０５部分を中心として矢印Ｓの上方向へ回動しながら外装ケース２８４０の中へ収まり、収納される。
【０１１６】
以上のように、切手類０１１０の収納並びにピックアップ出し入れを行なう手段の全体を収容する外装ケース２８４０を有し、この外装ケース２８４０の扉が保管上のセキュリティ維持のための手段であるとともに、シートホルダー２８１０を高能率で切手類０１１０の出し入れが可能に開閉させるものである。また、切手類を容易に目視確認し得る位置に保持するシートホルダー保持手段２９１０を兼ねているようにしたものであり、切手類の保管を効率的に行なえるという作用を有する。上記のように、先の実施の形態９における窓口用切手類保管管理装置０１００に対し、さらに付加機能として、シートホルダー２８１０検索出入方式においてピックアップされたシートホルダーを自動的に切手類の出し入れが可能な状態に保持する切手類出入用シートホルダー保持手段を備えたものであり、検索によりピックアップされたシートホルダーを自動的に切手類の出し入れが可能な状態に保持することができる。これによって、切手類等の出し入れ作業や枚数計数の作業を容易に行なうことができる。
【０１１７】
（実施の形態１１）
次にシートホルダー方式による切手類の保管収納を行なう窓口用切手類保管管理装置０１００における切手類の認識に関する本発明の第１１の実施の形態について説明する。この実施の形態は先の第１０の実施の形態の発展形乃至はこれと組み合わせが可能な実施の形態である。図３３はこの第１１の実施の形態における切手類シートとこれを検出する各機能部との配置関係を示す側面断面図、図３４は本実施の形態における切手類シートとこれを検出する各機能部との配置関係を別の面から示す図３３中Ａ−Ａ’線における水平断面図、図３５は本実施の形態における切手類シートとこれを検出する各機能部との配置関係をさらに別の面から示す図３３中Ｂ−Ｂ’線における水平断面図、図３６は上記実施の形態において検出機構に用いられる光受光素子のマトリクス配列の配線説明図、図３７は上記実施の形態におけるシートホルダー保持手段の構造を示す側面断面図、図３８は上記実施の形態におけるシートホルダー保持手段の構造を示す上面図である。
【０１１８】
図３３乃至図３８において、符号３００１は切手類検出対象シート、３００２は光線透過窓用透明部、３００３は反射光の検出区画を区別するための光遮断バリア部、３０１０は受光検出素子、３０１１は検出素子用基板、３０１２はマトリクスＸ軸印刷配線（点線表示）、３０１３はマトリクスＹ軸印刷配線、３０１４はマトリクス配線スルーホール接続部、３０１５は反射光の検出区画を区別するための光遮断バリア部、３０２１は発光素子、３０２２は発光素子用基板、３０２３は発光素子用光透過部、３０２４は反射光、３０２５は透過光、３０５１は光受光素子マトリクス配列配線Ｘ軸配線端子、３０５２は光受光素子マトリクス配列配線Ｙ軸配線端子、３０２４は反射光、３０５３は受光素子である。
【０１１９】
かかる構成において、発光素子用基板３０２２の上に配列された発光素子３０２１への通電により発生させられた赤外線等の不可視光線が発光素子用光透過部３０２３を透過し、さらに光線透過窓用透明部３００２を透過し、この光線透過窓用透明部３００２の上面に切手類等検出対象シート３００１の裏面が接して置かれていた場合においては、その切手類等検出対象シート３００１の裏面により反射し、反射光線３０２４として受光検出素子３０１０に対し照射されることにより受光検出が行なわれる。また、上記光線透過窓用透明部３００２の上面に切手類等検出対象シート３００１の裏面がなかった場合には、上記赤外線等の不可視光線は光線透過窓用透明部３００２を透過することになり、反射光が受光検出素子３０１０に対して戻らず受光検出は行なわれないことになる。透明なシートホルダー２８１０に切手類を挟んでおいた場合にも同様な現象を期待することができる。このような原理による受光検出素子を図３５におけるようにマトリクスＸ軸配線３０１２を検出素子用基板３０１１の裏面に配置し、またマトリクスＹ軸配線３０１３を上面に配置し、さらに、図３６の受光素子マトリクス配線図におけるように配置し、上面に配置された受光素子を介してマトリクスＸ軸配線３０１２とマトリクスＹ軸配線３０１３とが接続されるように配列しておき、光受光素子マトリクス配列配線Ｘ軸配線端子３０５１に対しスキャニング通電した場合、その各タイミングにおいて受光素子３０５３が受光検出状態となっている部位に相当する部位のみが光受光素子マトリクス配列配線Ｙ軸配線端子３０５２に信号を出力する。以上のような原理に基づく切手類認識手段を、上記第１０の実施の形態におけるシートホルダー保持手段２９１０の面に対して、切手類の寸法の差異に対して判別分解能を得られるレベルまで充分な細密度で配列配備することによって、切手類密着方式の赤外光等の発光素子３０２１と受光素子３０５３の細密面配列方式による切手類枚数の認識判定を行なうようにする。また、切手類シートの周囲の余白部分に関する記憶と解析をコンピュータにより行なって画像認識方式と同様のコンピュータ解析による余剰部分を排除する算出（演算処理）を行なうことによって切手類の種別によって異なる寸法や余白部分等の差異にも関わらずに枚数判定が可能となる。このように、切手類枚数計数装置が付加されることにより、シートホルダー方式の切手類保管管理装置０１００における扉兼シートホルダー保持手段２９１０への切手類密着方式と、赤外光等の発光素子３０２１と受光素子３０５３の細密面配列方式とを組み合わせた切手類認識およびコンピュータ解析による余剰部分を排除する枚数判定技術を使うことにより、切手類枚数の計数作業の省力化を図ることが可能になる。
【０１２０】
（実施の形態１２）
次に窓口用切手類保管管理装置０１００の切手類の保管収納方法及び選択出入の方式をさらに変更した本発明の第１２の実施の形態について説明する。図３９はこの第１２の実施の形態に係る切手類保管収納方法及び選択出入の方式を採用した窓口用切手類保管管理装置の構造を示す側面断面図、図４０はこの第１２の実施の形態に係る窓口用切手類保管管理装置の外観構成を示す斜視図である。図３９および図４０において、符号３１０１はバインダーブック式の切手類収納部材である切手類収納バインダー、３１０２は切手類収納バインダー３１０１をロックするためのフック、３１０３はロック用フック受け装置、３１０５は蝶番、３１１０は集合収納ケースである。その他の構成については先に説明した第１の実施の形態と同様である。
【０１２１】
この実施の形態においては、切手類の収納部材（先の実施の形態における収容容器０１０１に相当する）に背表紙付きでバインダーブック式の切手類収納バインダー３１０１が使用されており、この切手類収納バインダー３１０１の背表紙に相当する部分の下端が蝶番３１０５に連結されるとともに、蝶番３１０５は、集合収納ケース３１１０の出口下端部分において切手類収納バインダー３１０１と集合収容ケース３１１０とを結合している。これにより、切手類収納バインダー３１０１は蝶番３１０５によって回転取り出し可能に集合収容ケース３１１０内に格納されている。また、切手類収納バインダー３１０１の背表紙部分の上端にはロック用フック３１０２が背表紙の内側に向け延びて取り付けられており、背表紙部分の単位ごとにバインダーブック式の切手類収納バインダー３１０１を本を閉じる要領で閉じてブックの状態にしてから集合収納ケース３１１０の中に回転収納するようになっている。そして、切手類収納バインダー３１０１を集合収納ケース３１１０の中に収納すると、上記切手類収納バインダー３１０１側のロック用フック３１０２が集合収納ケース３１１０側のロック用フック受け装置３１０３に係合しロックする。これにより、あたかも本箱に本が収納されるような形でバインダーブック式の切手類収納バインダー３１０１が収まり、背表紙部分の一部分を検出することにより、出し入れの状態を検出することができるようになっている。ロック用フック受け装置３１０３はロックセンサーを内蔵しており、切手類収納バインダー３１０１が集合収容ケース３１１０内に格納されてロックが働いたか否かを検知する。
【０１２２】
また一方、切手類を取り出すときは、取り出し対象となる切手類が収納された切手類収納バインダー３１０１を集合収納ケース３１１０から回転取り出しする。この切手類収納バインダー３１０１は蝶番３１０５によって集合収納ケース３１１０に結合されているから、取り出した切手類収納バインダー３１０１がバラバラになることはない。そして、取り出した切手類収納バインダー３１０１を、本を開く要領で開いて目的とする切手類を探し、必要な枚数だけ切り取る。その後の切手類収納バインダー３１０１の収納の手順は上に述べた通りである。
【０１２３】
このように、本を閲覧するような取り扱い操作により切手類の検索や出し入れを行なうことができるようにしたことにより、窓口カウンターの係員が着座したままの姿勢をほとんど崩さずに切手類の検索や出し入れの取り扱い操作が行なえる。したがって、この実施の形態の方式によれば、先の実施の形態における引き出し式の収容容器０１０１の場合のように、座高の低い係員にとっては上の方の引き出しの中を見て確認するためには背伸びをしたり、或いは中腰になったりする必要があるといったような問題はなく、座席に座った状態での作業性を向上させることができる。
【０１２４】
（実施の形態１３）
次に窓口用切手類保管管理装置０１００における切手類の保管収納方式をさらに変更した本発明の第１３の実施の形態について説明する。図４１はこの第１３の実施の形態に係る窓口用切手類保管管理装置を透視して表した斜視図である。図４１において、符号３２０１は切手類を収納する複数の収容容器０１０１を一まとめに収容することによりカセット化する切手類収納カセット、３２０２は切手類収納カセット３２０１の開閉部をロックする錠である。切手類収納カセット３２０１は上下方向に多段に積み重ねられた複数の収容容器０１０１を覆ったボックス体から構成され、錠３２０２により施錠することにより完全密封されるようになっているから、セキュリティの上からも好都合である。また切手類収納カセット３２０１は１つのユニットとして窓口用切手類保管管理装置０１００から取り外しおよび装着が可能である。その他の構成については先に説明した第１の実施の形態と同様である。
【０１２５】
第１の実施の形態においては、切手類を収容する部材として複数段に積み重ねて配置された収容容器０１０１を用いていたが、この実施の形態では上記複数の収容容器の部分をカセットとして交換可能にした切手類収納カセット３２０１を手段として備え、また錠３２０２により上記カセットに施錠ができるようにした。これにより切手類収納カセット３２０１を窓口用切手類保管管理、或いは切手類の販売管理の運用上の必要に応じて交換可能なようにすれば、勤務時間帯の異なる係員の間の業務の引き継ぎの場合に当該切手類収納カセット３２０１の入れ換えによる責任分掌の明確化が可能となる。また、上記勤務時間帯の異なる係員の間の業務の引き継ぎ業務そのものが容易に行なえる。
【０１２６】
（実施の形態１４）
次に窓口用切手類保管管理装置０１００における切手類の保管収納方式をさらに変更した本発明の第１４の実施の形態について説明する。図４２はこの第１４の実施の形態に係る窓口用切手類保管管理装置を透視して表した斜視図である。図４２において、符号３３０１は金銭登録保管用ドロワーである。この金銭登録保管用ドロワー３３０１は窓口用切手類保管管理装置０１００の最下段部分に引き出し構造になって設けられており、この中に売上金や釣り銭用の予備金などが仕分けして収納されるようになっている。その他の構成については先に説明した第１の実施の形態と同様である。
【０１２７】
このように、切手類販売管理システム装置に用いる窓口用切手類保管管理装置０１００においてさらに金銭登録保管用ドロワー３３０１を付加装備しているため、このような装置を使用すれば金銭管理用のドロワーの付加による切手類保管管理と金銭管理の一元化が可能となり、切手類売上管理と、切手類保管管理のレベルの向上を図ることができる。
【０１２８】
（実施の形態１５）
図４３は本発明の第１５の実施の形態に係る窓口用切手類保管管理装置０１００の収容ケース０１１１の内部構成を概略的に示す側面断面図、図４４は同じく上記窓口用切手類保管管理装置０１００の収容ケース０１１１の内部構成を透視して示す斜視図である。この収容ケース０１１１の内部には、制御部０１０３と、制御部０１０３によって動作制御されロール紙０１４０Ｒに印字操作を行なうプリンタ０１４０と、業務処理情報用記憶媒体リードライト装置としてのフロッピーディスクドライバーなどのディスク装置０１５０とが備えられている。また、収容ケース０１１１の下部には、外部機器との間で情報交換のマッチングをとるためのインタフェース部０１６０が設けられるとともに、収納容器０１０１の奥端部分には当該収納容器０１０１と収容ケース０１１１との間に収納容器０１０１の引出し押し込みを検出する出し入れ検出手段としての検出センサー０１０２が設けられている。検出センサー０１０２は、近接スイッチ、リードスイッチ、フォトインタラプター、マイクロスイッチのいずれかから構成されている。
【０１２９】
図４５は図１乃至図４４に示した窓口用切手類保管管理装置０１００を運用するためのシステムの基本回路構成を示すブロック図である。図４５において、符号０１００は先にも述べた通りの窓口用切手類保管管理装置の本体を表す。この窓口用切手類保管管理装置０１００において、収納容器０１０１は、検出センサー０１０２に接続され、検出センサー０１０２のデータは制御部０１０３に送られるように接続されている。制御部０１０３は窓口用切手類保管管理装置０１００の各機能部の動作をコントロール制御するためのコンピュータ（ＣＰＵ）０１０５と、ＣＰＵ０１０５を動作させるための各種プログラムおよびこのＣＰＵ０１０５の処理動作によって得られたデータを格納する記憶部０１０７と、検出センサー０１０２を制御し、また検出情報をデータ処理に適した信号に変換するセンサー制御部０１０４とを有し、また、この制御部０１０３内にはキーボード０１２０やプリンタ０１４０等の各機能部をＣＰＵ０１０５に接続するためのバスライン０１０６が設けられている。
【０１３０】
かかる構成を有する窓口用切手類保管管理装置０１００の基本動作である切手類の販売処理動作について説明する。図４６は本実施の形態における窓口用切手類保管管理装置０１００の切手類販売動作を説明するフロー図である。このフロー図に示すように、窓口において切手類の購入の申し出があると処理ステップ（以下、単にステップという）ＳＴ１において該当する切手類が納められた収納容器０１０１が引き出される。この収納容器０１０１の引出し動作は検出センサー０１０２によって検出され、検出結果はセンサー制御部０１０４を介してＣＰＵ０１０５へ送られる。また、情報表示器０１３０は収容容器０１０１を引き出すと、その収容容器０１０１に収納された切手類の種別および枚数を表示する。
【０１３１】
図４３の事例では複数の収納容器０１０１のうちの上から３段目の収納容器０１０１（引出Ｃ）が引き出されており、ＣＰＵ０１０５は、引出Ｃに対して切手類の販売が行なわれることを認識する。引き出された収納容器０１０１に対してステップＳＴ２において係員が切手類を取り出すと、ＣＰＵ０１０５はステップＳＴ３において切手類の種類を認識し、且つ情報表示器０１３０に表示する。係員は切手類を取り出した後、ステップＳＴ４において販売枚数をキーボード０１２０の数字キー０１２１を使って入力するとともに、ステップＳＴ５において預かり金を、同じくキーボード０１２０の数字キー０１２１を使って入力する。次いでＣＰＵ０１０５は、ステップＳＴ６においてプリンタ０１４０を動作させ、受領証を発行する。これにより係員はステップＳＴ７において申し出の切手類、受領証、釣り銭をお客へ渡す。一方ＣＰＵ０１０５は、ステップＳＴ４において入力された販売枚数の入力データに基づいて、ステップＳＴ８において販売枚数データを受領し、このデータを基にステップＳＴ９において切手類の残数を計算（減算）処理によって求める。
【０１３２】
以上の処理により、切手類の販売毎に、どの収納容器０１０１に対して何枚の切手類が販売されたか、および残りの切手類の数量の集計が行なわれる。情報表示器０１３０は、窓口用切手類保管管理装置での販売業務において切手類の販売枚数を表示する。
【０１３３】
（実施の形態１６）
次に窓口用切手類保管管理装置０１００の収納容器０１０１について情報登録処理動作を行なえるようにした本発明の第１６の実施の形態について説明する。図４７はこの収納容器情報登録処理動作を行なえるように構成された本発明の第１６の実施の形態に係る窓口用切手類保管管理装置０１００を示す側面断面図である。この実施の形態に係る窓口用切手類保管管理装置０１００は、制御部０１０３に接続された切手類種別読取認識装置０５１０を有している。その他の構成は上記第１５の実施の形態と同じである。図４８は図４７に示した窓口用切手類保管管理装置０１００を運用するためのシステムの基本回路構成を示すブロック図である。図４８から明らかになるように、上記切手類種別読取認識装置０５１０は、バスライン０１０６を介してＣＰＵ０１０５に接続されている。
【０１３４】
かかる構成を有する窓口用切手類保管管理装置０１００の収納容器情報登録処理動作について説明する。図４９はこの第１６の実施の形態における窓口用切手類保管管理装置０１００の収納容器情報登録処理動作を説明するフロー図である。このフロー図に示すように、収納容器情報登録処理動作を開始するためには、ステップＳＴ１１において先ずキーボードの入力切替キー０１２２を使って窓口用切手類保管管理装置０１００の動作モードを収納容器設定モードに切り替える。次にステップＳＴ１２において収納容器０１０１を引き出すとともに、ステップＳＴ１３において切手類シートのバーコードをコードリーダ０１２３によって読み取る。このときの読み取りデータはバスライン０１０６を介してＣＰＵ０１０５へ送られる。
【０１３５】
切手類にはその種類に応じて異なった情報のバーコードが付与され印刷されているから、このバーコードの読み取りによりＣＰＵ０１０５はステップＳＴ１４において切手類の種類を確定する。次にステップＳＴ１５において該当する収納容器０１０１に納められている切手類の枚数情報がキーボード０１２０の数字キー０１２１から入力され登録操作が行なわれる。この登録操作に基づきＣＰＵ０１０５はステップＳＴ１６において切手類の枚数情報を記憶部０１０７へ記録するとともに、上記ステップＳＴ１２の処理に戻り、別の収納容器０１０１に対してステップＳＴ１２からステップＳＴ１６までの処理が順次実行される。そして全ての収納容器０１０１について収納容器情報登録処理動作が実行されたならば、ＣＰＵ０１０５は記憶部０１０７に記録した情報をフロッピーディスクなどの外部記憶媒体に記録し、一連の処理動作を終了する。
【０１３６】
（実施の形態１７）
次に窓口用切手類保管管理装置０１００に対して窓口ＰＯＳ機器を接続してデータの集約操作を行なえるようにした本発明の第１７の実施の形態について説明する。図５０はこの収納容器情報登録処理動作を行なえるように構成された本発明の第１７の実施の形態に係る窓口用切手類保管管理装置０１００を窓口ＰＯＳ機器としての郵便窓口事務処理機器０２００に接続した状態を示す斜視図である。この実施の形態に係る窓口用切手類保管管理装置０１００は、インタフェース部０１６０を介して郵便窓口事務処理機器０２００に接続されている。郵便窓口事務処理機器０２００は、窓口事務処理操作を行なうための本体部０２１０と、郵便小包の秤量を行なう計量部とから構成され、本体部０２１０は、その前面に文字や数字などを表示する情報表示器０２１４と、窓口用切手類保管管理装置０１００或いはその他の機器との間で情報交換を行なうためのフロッピーディスクなどの外部記憶媒体を挿入するディスク挿入口０２１５と、データ入力用のキーボード０２１６と、プリンタによって印字されたレシート類の排出口０２２５を有している。そして、窓口用切手類保管管理装置０１００と郵便窓口事務処理機器０２００とは、それぞれに設けられた接続端子０１７０につながれた接続通信ライン０２４０を介して接続されている。
【０１３７】
図５１は窓口用切手類保管管理装置０１００と郵便窓口事務処理機器０２００との間の接続状態および郵便窓口事務処理機器０２００の内部回路構成を説明するブロック図である。このブロック図において、符号０２１１はメインＣＰＵ、０２１２はプログラムおよび処理データ格納用の共通メモリ、０２１３はプログラムおよび各種データ格納用のメモリ、０２２１はメインＣＰＵ０２１１の処理を補佐するサブＣＰＵ、０２２２はサブＣＰＵ０２２１のプログラムおよび処理データを格納するメモリ、０２２３は証紙を印字出力する証紙プリンタ、０２２４は各種データを印字するプリンタである。
【０１３８】
なおこの第１７の実施の形態において、複数組の窓口用切手類保管管理装置０１００と郵便窓口事務処理機器０２００との間の通信接続を拡張して事務所内のサーバに接続し、事務所内情報集約システムを構築することができる。さらには複数の事務所内サーバを通信ネットワークに接続して管理センターのサーバと通信可能にし、切手類販売管理システム装置を構築することもできる。図５２は、第１７の実施の形態の変更例としてこのような事務所内情報集約システムおよび切手類販売管理システム装置を構築した例を示す概略説明図である。この図において、符号０３２０は事務所内サーバ、０３１０は事務所内サーバ０３２０に接続され、事務所内における収集データのモニター或いは出力して統合管理を行なう端末装置としてのパーソナルコンピュータ、０４１０は通信ネットワーク、０４２０は管理センターのサーバをそれぞれ示している。管理センターのサーバ０４２０にもまた端末装置としてのパーソナルコンピュータ０４３０を接続することができる。そして、この管理センターのサーバ０４２０に、事務所における切手類販売情報データを通信ネットワーク０４１０を介して伝送収集し、前記パーソナルコンピュータ０４３０により前記収集データのモニター或いは出力して統合管理が行なえるようにすることもできる。また、管理センターのサーバ０４２０に事務所内サーバ０３２０から伝送収集される事務所における切手類販売情報データには、切手類の残数確認情報および切手類の補充請求情報などが含まれる。
【０１３９】
次に上記第１７の実施の形態に係る窓口用切手類保管管理装置０１００における切手類の残数確認処理動作について説明する。図５３は上記実施の形態における窓口用切手類保管管理装置０１００の残数確認処理動作を説明するフロー図である。このフロー図に示すように、残数確認処理動作を開始するためには、ステップＳＴ２１において先ずキーボード０１２０の入力切替キー０１２２を使って窓口用切手類保管管理装置０１００の動作モードを残数確認モードに切り替える。次にステップＳＴ２２において収納容器０１０１を引き出すとともに、ステップＳＴ２３において該当する収納容器０１０１に納められている切手類の残数情報がキーボード０１２０の数字キー０１２１から入力される。この入力データはバスライン０１０６を介してＣＰＵ０１０５へ送られる。ＣＰＵ０１０５はステップＳＴ２４において切手類の残数情報を記憶部０１０７へ記録するとともに、ステップＳＴ２５において切手類の残数情報を情報表示器０１３０に表示し、さらにステップＳＴ２６において記憶部０１０７に記録した残数情報をフロッピーディスクなどの外部記憶媒体に記録し、一連の処理動作を終了する。また、窓口用切手類保管管理装置０１００が窓口ＰＯＳ機器としての郵便窓口事務処理機器０２００に接続されているときは、ステップＳＴ２７において上記郵便窓口事務処理機器０２００に対して切手類の残数情報を送付し受信させる。
【０１４０】
次に上記第１７の実施の形態に係る窓口用切手類保管管理装置０１００における切手類の補充請求処理動作について説明する。図５４は上記実施の形態における窓口用切手類保管管理装置０１００の補充請求処理動作を説明するフロー図である。このフロー図に示すように、補充請求処理動作を開始するためには、ステップＳＴ３１において先ずキーボード０１２０の入力切替キー０１２２を使って窓口用切手類保管管理装置０１００の動作モードを補充請求モードに切り替える。次にステップＳＴ３２において上記残数確認処理動作において求めた該当する収納容器０１０１に納められている切手類の残数情報から補充数を割り出し、キーボード０１２０の数字キー０１２１から入力し、ステップＳＴ３３において補充金額を確認する。この入力データはバスライン０１０６を介してＣＰＵ０１０５へ送られる。ＣＰＵ０１０５はステップＳＴ３４において切手類の補充請求情報を記憶部０１０７へ記録するとともに、ステップＳＴ３５においてプリンタ０１４０を駆動して補充請求書を印字し、さらにステップＳＴ３６において記憶部０１０７に記録した補充請求情報をフロッピーディスクなどの外部記憶媒体に記録し、一連の処理動作を終了する。また、窓口用切手類保管管理装置０１００が窓口ＰＯＳ機器として事務所内サーバ０３２０に接続されているときは、ステップＳＴ３７において上記事務所内サーバ０３２０に対して切手類の補充請求情報を送付し受信させる。さらに、この事務所内サーバ０３２０が通信ネットワーク０４１０に接続されている場合は、この通信ネットワーク０４１０を通して上記補充請求情報を管理センターのサーバ０４２０へデータ伝送し管理センターへ切手類の補充を請求する。
【０１４１】
（実施の形態１８）
次に、窓口用切手類保管管理装置０１００の収容容器０１０１について切手類の保管収納方法および選択出入の方式を変更した本発明の第１８の実施の形態について説明する。図５７はこの第１８の実施の形態に係る切手類保管収納方法及び選択出入の方式を採用する窓口用切手類保管管理装置０１００の構成を示す側面断面図である。図５７において、符号５７０１はそれぞれ、切手類シートを保管管理する単位となっているシートホルダーであり、複数のシートホルダー５７０１が円筒ケース５７０２内に回転頁めくり方式により収納されている。すなわち、円筒ケース５７０２内には、シャフト５７０３Ｓとその両端に円板状のシートホルダードライブ用のディスク５７０３Ｄとを有するシートホルダー駆動部材５７０３が配設され、複数のシートホルダー５７０１がその平面をシャフト５７０３Ｓの円周方向に向けて回転可能に、シャフト５７０３Ｓの周囲に言わば放射状に配列されて保持されている。両側のディスク５７０３Ｄの回転により各シートホルダー５７０１がシャフト５７０３Ｓの円周方向に向けて回転可能になっている。また、円筒ケース５７０２には、その周面に開口が設けられ、これがシートホルダー５７０１から切手類を取り出すための取り出し口５７０２Ｌになっている。
【０１４２】
図５７において、５７０４は装置本体であり、その外装ケース５７０５内に複数のシートホルダー５７０１を収納された円筒ケース５７０２が装填されて、保管される。外装ケース５７０５の正面には窓５７０５Ｗが設けられていて、円筒ケース５７０２の取り出し口５７０２Ｌの位置に一致される。外装ケース５７０５にはまた、内部にＣＰＵ・主制御部５７０６、ＣＰＵ・主制御部５７０６に接続されたコントローラ５７０７、このコントローラ５７０７に接続されたディスク駆動部５７０８、ＣＰＵ・主制御部５７０６に接続され、通信回線に接続する通信回路５７０９などを備え、その操作キー５７１０が正面下部に配設され、表示器５７１１が正面上部に配設されている。また外装ケース５７０５の窓５７０５Ｗ近傍には、円筒ケース５７０２内のシートホルダー５７０１を取り出し口５７０２Ｌの上側でその動きを規制するストッパー部材５７１２が備えられている。このストッパー部材５７１２はＣＰＵ・主制御部５７０６に接続され、動作制御される。
【０１４３】
この切手類の保管収納方法および選択出入の方式では、切手類シートを保管したシートホルダー５７０１を回転頁めくり方式により収納し、装置本体５７０４の操作キー５７１０からの操作によりシートホルダードライブ用のディスク５７０３Ｄを回転駆動してシートホルダー５７０１が回転され、これがシートホルダー５７０１の頁めくりとなって外装ケース５７０５の窓５７０５Ｗから目視される。このようにして指定の切手類を収納しているシートホルダー５７０１が検索されると、ストッパー部材５７１２によりシートホルダー５７０１の回転動作が規制され、外装ケース５７０５の窓５７０５Ｗの正面に指定のシートホルダー５７０１が停止される。
【０１４４】
このように実施の形態１８では、切手類を収容したシートホルダー５７０１を回転頁めくり方式により検索するようにしているので、装置全体のシンプル化、コストの低減化、さらに検索の高速化を図ることができる。
【０１４５】
（実施の形態１９）
次に、窓口用切手類保管管理装置０１００の回転頁めくり方式の切手類収納方法についてそのセキュリティ管理上の構造を施している本発明の第１９の実施の形態について説明する。図５８はその構成を示す窓口用切手類保管管理装置０１００の側面断面図である。なお、上記実施の形態１８と同様な部材には同じ符号を付してある。
【０１４６】
この窓口用切手類保管管理装置０１００では、外装ケース５７０５の窓５７０５Ｗにこれを開閉可能な扉５７０５Ｄが設けられて、シートホルダー５７０１を収容された円筒ケース５７０２の周面取り出し口５７０２Ｌを閉塞できるようになっている。この扉５７０５Ｄは透明な材料により断面円弧状に形成された板材で、外装ケース５７０５の窓５７０５Ｗの内側で円筒ケース５７０２の外周に沿って下方向のスライドにより収納可能に備えられている。扉５７０５Ｄの上端部に外側に向けて突出された把持部５７０５Ｇを備え、この把持部５７０５Ｇを掴んで扉５７０５Ｄを上げ下げすることにより、外装ケース５７０５の窓５７０５Ｗ、円筒ケース５７０２の取り出し口５７０２Ｌが開閉される。また、外装ケース５７０５内には、窓５７０５Ｗの開口下縁側に扉５７０５Ｄの開閉状態を検出する扉センサー５７０５Ｓが併設され、その状態が表示器５７１１などに表示される。
【０１４７】
このようにこの実施の形態１９では、外装ケース５７０５の窓５７０５Ｗに透明な扉５７０５Ｄを設け、窓５７０５Ｗを開閉できるようにし、さらにその開閉状態を扉センサー５７０５Ｓによりチェックして係員に知らせるようにしているので、セキュリティ管理上有用である。また、構造上シンプルであり、低コストを維持することができる。
【０１４８】
（実施の形態２０）
次に、窓口用切手類保管管理装置０１００の回転頁めくり方式の切手類収納方法について係員交替時の責任分掌明確化を図る本発明の第２０の実施の形態について説明する。図５９はその構成を示す窓口用切手類保管管理装置０１００の分解斜視図である。
【０１４９】
この窓口用切手類保管管理装置０１００では、切手類を収納する円筒ケースをカセット化した円筒ケースカセット５７０２Ｃが用いられている。すなわち、円筒ケースカセット５７０２Ｃは、上記実施の形態１９に例示した円筒ケース５７０２を装置本体５７０４に対し、独立したものであり、そのため外周面の取り出し口５７０２Ｌを開閉可能な扉５７０２Ｄと、扉５７０２Ｄを施錠するための錠５７０２Ｋとを備えている。扉５７０２Ｄは透明な板材からなり、円筒ケースカセット５７０２Ｃの外周面に沿って円弧状に形成されて、円筒ケースカセット５７０２Ｃの取り出し口５７０２Ｌ上にスライド可能に設けられている。錠５７０２Ｋにはキー方式の手動錠が用いられている。
【０１５０】
一方、装置本体５７０４には、円筒ケースカセット５７０２Ｃ用のカセット装填部５７０４Ｃが備えられ、その装填口５７０５Ｌが外装ケース５７０５の一側面に設けられている。外装ケース５７０５にはまた、カセット装填部５７０４Ｃに装填された円筒ケースカセット５７０２Ｃをロックするキー方式の手動錠５７０５Ｋが設けられている。この施錠により円筒ケースカセット５７０２Ｃが外装ケース５７０５から取り外しできないようになっている。
【０１５１】
このような円筒ケースカセット５７０２Ｃにより、係員交替時に円筒ケースカセット５７０２Ｃごと入れ替えを行うことができ、先の係員にあっては取り外された円筒ケースカセット５７０２Ｃの取り出し口５７０２Ｌの扉５７０２Ｄを手動錠５７０２Ｋによる施錠によりロックすることができ、後の係員にあっては円筒ケースカセット５７０２Ｃを装置本体５７０４に装填し、手動錠５７０５Ｋにより完全にロックすることができるから、各係員毎に責任分掌を明確化することができ、優れたセキュリティ管理を実現することができる。
【０１５２】
（実施の形態２１）
次に、窓口用切手類保管管理装置０１００の回転頁めくり方式の切手類収納方法について指定したシートホルダーの検索を効率良く行う本発明の第２１の実施の形態について説明する。図６０はその構成を示している。
【０１５３】
この実施の形態においては、シートホルダー駆動部材５７０３のシャフト５７０３Ｓ上に配列された各シートホルダー５７０１にストッパー部材５７１２用のガイド溝５７０１Ｇとコード読取装置５７１３対応の頁識別読取用コード５７０１Ｃが備えられている。
【０１５４】
ここで、各シートホルダー５７０１には外周側の側縁部左右２箇所に、頁識別読取用コード５７０１Ｃとしてバーコード、または２次元バーコード、または電磁波誘導通信などによるコードが記入され、各頁識別読取用コード５７０１Ｃの真横が切り欠かれて、ストッパー部材５７１２のためのガイド溝５７０１Ｇが形成されている。これらの頁識別読取用コード５７０１Ｃ、その記入位置およびガイド溝５７０１Ｇの切欠位置はシートホルダー５７０１毎に異なっている。
【０１５５】
またここで、ストッパー部材５７１２およびコード読取装置５７１３は一体をなし、シートホルダー駆動部材５７０３の両ディスク５７０３Ｄ間に配置可能な横長のガイド部５７１３Ｇと、このガイド部５７１３Ｇ下側部の両端側に下方に向けて突出され、コード読取部５７１３Ｐを組み込まれた一対のシートホルダーストッパー５７１３Ｓとからなる。コード読取部５７１３Ｐは各シートホルダーストッパー５７１３Ｓにおいてシートホルダー５７０１との当接面に設けられている。このストッパー部材５７１２はシートホルダー駆動部材５７０３に配置された各シートホルダー５７０１に対して上側に、横行可能に配置され、一対のシートホルダーストッパー５７１３Ｓが各シートホルダー５７０１の上側縁に当接可能になっている。
【０１５６】
このようにして、装置本体５７０４の操作キー５７１０からの入力操作によりシートホルダー５７０１用のディスク５７０３Ｄを回転駆動すると同時に、ストッパー部材５７１２に一体のコード読取部５７１３Ｐを作動すると、各シートホルダー５７０１が一方向に回転され、ストッパー部材５７１２により停止中のシートホルダー５７０１の後方に集合待機されていく一方、ストッパー部材５７１２の各シートホルダーストッパー５７１３Ｓが各シートホルダー５７０１の上側縁に沿って移動し、そこに表示されている頁識別読取用コード５７０１Ｃを読み取っていく。そのコード５７０１Ｃの読み取りによりそのシートホルダー５７０１が指定されたシートホルダーでなければ、一対のシートホルダーストッパー５７１３Ｓは頁識別読取用コード５７０１Ｃ上を横切り、ガイド溝５７０１Ｇに移動される。指定されていないシートホルダー５７０１は各ガイド溝５７０１Ｇを通してシートホルダーストッパー５７１３Ｓをすり抜けて回転していく。次々にシートホルダー５７０１が同様に処理されて回転頁めくりが行われ、コード読取部５７１３Ｐで指定されたシートホルダー５７０１の頁識別読取用コード５７０１Ｃが読み取られると、一対のシートホルダーストッパー５７１３Ｓはそのコード５７０１Ｃ上に停止され、そのシートホルダー５７０１が回転を停止される。この状態から、外装ケース５７０５の窓５７０５Ｗ、円筒ケース５７０２の取り出し口５７０２Ｌを通じて、指定のシートホルダー５７０１から切手類が取り出される。
【０１５７】
このように上記実施の形態２１では、各シートホルダー５７０１にストッパー部材５７１２用のガイド溝５７０１Ｇとコード読取装置５７１３対応の頁識別読取用コード５７０１Ｃとを備え、当該コード５７０１Ｃの読み取りによりシートホルダー５７０１の検索を行うようにしているので、シートホルダー５７０１の検索を効率良く、高速に実行することができる。また、構造がシンプルであり、コストダウンを図ることができる。
【０１５８】
（実施の形態２２）
次に、窓口用切手類保管管理装置０１００の回転頁めくり方式の切手類収納方法について切手類の枚数の自動検出処理動作を行えるようにした本発明の第２２の実施の形態について説明する。図６１はその構成を示す窓口用切手類保管管理装置０１００の側面断面図である。
【０１５９】
この実施の形態では、窓口用切手類保管管理装置０１００に、ＣＰＵ・主制御部５７０６に接続され、駆動制御される電子カメラなどの撮像装置５７１４と、切手類枚数検出装置５７１５とを備えている。撮像装置５７１４は、外装ケース５７０５内の、円筒ケース５７０２の取り出し口５７０２Ｌ上側縁側に配置されている。したがって、ストッパー部材５７１２を通過されたシートホルダー５７０１内のシート状切手類が撮像装置５７１４の視野に入り、撮像されるようになっている。
【０１６０】
このようにして、実施の形態６と同様に、撮像装置５７１４によりシートホルダー５７０１内が走査され、シートホルダー５７０１内に収納された切手類の印刷の四角形の輪郭のパターン認識により、切手類の種類および残存枚数が判定、算出される。
【０１６１】
なお、別の方法として、実施の形態６において、図２０に示している切手類枚数自動検出処理方法を利用することができる。
【０１６２】
さらに、実施の形態７において、図２２、図２３に示している電子カメラによる撮像画像認識解析方式による切手類枚数の自動認識判定処理を利用することができる。
【０１６３】
このように上記実施の形態２２では、シート状切手類の種類及びシートホルダー中の残存枚数を自動的に判定、算出できるので、切手類の保管管理、販売管理を効率良く行うことができる。
【０１６４】
（実施の形態２３）
次に、窓口用切手類保管管理装置０１００の回転頁めくり方式の切手類収納方法についてシートホルダーの駆動方式を増設した本発明の第２３の実施の形態について説明する。図６２はその構成を示す窓口用切手類保管管理装置０１００の斜視図である。
【０１６５】
この実施の形態では、シートホルダー駆動部材５７０３のシャフト５７０３Ｓ端に手動駆動操作用のダイヤル式のハンドル５７１６が取り付けられ、このハンドル５７１６が外装ケース５７０５の側面に表出された円筒ケース５７０２の端面上に配置されている。また、外装ケース５７０５内部のシートホルダー駆動部材５７０３のディスク駆動部５７０８をコントローラ５７０７から切り離す電動・手動切替スイッチが設けられ、そのスイッチボタン５７１７が外装ケース５７０５の側面に配置されている。なお、コンピュータなどの電子機器についてはバッテリーにより対応される。
【０１６６】
このようにして、スイッチボタン５７１７をオンにすると、電動モードに切り替えられて、外装ケース５７０５内部のディスク駆動部５７０８の電動駆動によりシートホルダー５７０１が回転され、スイッチボタン５７１７がオフされると、手動モードに切り替えられて、外装ケース５７０５外部のハンドル５７１６の手動駆動によりシートホルダー５７０１が回転される。
【０１６７】
このように、実施の形態２３では、シートホルダー５７０１の電動駆動方式に加えて、手動駆動方式を備えているので、停電が発生したときに対応することができる。
【０１６８】
（実施の形態２４）
次に、窓口用切手類保管管理装置０１００の回転頁めくり方式の切手類収納方法について、切手類の保管管理、販売管理、係員の責任の分掌明確化の向上を図った本発明の第２４の実施の形態について説明する。図６３はその構成を示す窓口用切手類保管管理装置０１００の分解斜視図である。
【０１６９】
この実施の形態では、先の実施の形態で説明してある円筒ケースカセット５７０２Ｃの端面に、取扱履歴データ記憶用の電子メモリーを内蔵した電子メモリーユニット５７１８が設けられている。この円筒ケースカセット５７０２Ｃを装置本体５７０４に装填することにより、電子メモリーユニット５７１８が自動的に装置本体５７０４に接続されるようになっている。
【０１７０】
このようにして、円筒ケースカセット５７０２Ｃ毎にその電子メモリーユニット５７１８に、各シートホルダー５７０１に収納している切手類の種別や枚数、またこれら切手類の販売枚数など、取扱履歴を記憶するようにしている。
【０１７１】
このように実施の形態２４では、係員の交替に伴って円筒ケースカセット５７０２Ｃの入れ替え操作が行われ、併せて切手類の管理データが交換されるので、切手類の保管管理、販売管理、係員の責任分掌明確化の向上を図ることができる。
【０１７２】
（実施の形態２５）
次に、窓口用切手類保管管理装置０１００の回転頁めくり方式の切手類収納方法について、シートホルダー５７０１の円滑な回転頁めくりを実現した本発明の第２５の実施の形態について説明する。図６４はその構成を示すシートホルダー駆動部材の斜視図、図６５はその正面図である。
【０１７３】
この実施の形態では、シートホルダー駆動部材５７０３において、両ディスク５７０３Ｄの内側面全体に短毛５７１９を植設されて、ブラシ状に形成されている。
【０１７４】
このようにして、両ディスク５７０３Ｄを回転駆動すると、その短毛５７１９により両ディスク５７０３Ｄの駆動力が各シートホルダー５７０１に有効に伝達され、均一な力で各シートホルダー５７０１が円滑に回転されていく。したがってストッパー部材５７１２によりホールドされたシートホルダー５７０１の後方に順次、集合待機されていく。
【０１７５】
このように実施の形態２５では、シートホルダー駆動部材５７０３の両ディスク５７０３Ｄの内側面を植毛によりブラシ状に形成しているので、両ディスク５７０３Ｄによる駆動力のシートホルダー５７０１への伝達性が高められ、各シートホルダー５７０１に対して均一な力で円滑、かつ確実な回転頁めくりを実行することができる。
【０１７６】
（実施の形態２６）
次に窓口用切手類保管管理装置６０００における切手類の保管収納方式をさらに変更した本発明の第２６の実施の形態について説明する。図６６はこの第２６の実施の形態に係る窓口用切手類保管管理装置６０００の全体構成を鳥瞰して表した斜視図である。図６７は本実施の形態において用いられる切手類収納カセットが納められたボックス体６００３を閉めた状態を表す斜視図である。また、図６８は本実施の形態において用いられる窓口用切手類保管管理用の操作端末装置の組み付け、或いはセッティング状態の一例を表す斜視図である。図６６において、符号６０００は窓口用切手類保管管理装置、６００１は図４１を参照して先に説明された第１３の実施の形態における切手類収納カセット３２０１と同様の切手類収納カセット、６０１０は本実施の形態において用いられる窓口用切手類保管管理装置６０００に対して管理データの収集、指示送付等の操作を行なう操作端末装置、６０１１は窓口用切手類保管管理装置６０００の支持台としての機能を有する一方で、操作端末６０１０との間のデータ伝送のための非接触の通信を確立させる通信接続機能を有するベース部材としてのベースステーションである。
【０１７７】
切手類収納カセット６００１は切手類を収納する複数の収容容器６００２を一まとめに収容することによりカセット化する。切手類収納カセット６００１は上下方向に多段に積み重ねられた複数の収容容器６００２と、切手類収納カセット６００１を覆い保護する収容ケースとしてのボックス体６００３とから構成され、ボックス体６００３の前面には図６７に示すようにシャッタ扉６００４と、このシャッタ扉６００４を閉じたときに当該シャッタ扉６００４を施錠ロックする錠６００５とが設けられている。この実施の形態においては、ボックス本体６００３は切手類収納カセット６００１を２個収容できるように構成され、２個の切手類収納カセット６００１は別々に或いは同時にボックス本体６００３に収容される。そして、ボックス体６００３はシャッタ扉６００４を閉めて錠６００５を施錠することにより完全密封されるようになっているから、セキュリティの上からも好都合である。また切手類収納カセット６００１は１つのユニットとして窓口用切手類保管管理装置６０００から取り外しおよび装着が可能である。なお、本実施の形態において、ボックス本体６００３に２個の切手類収納カセット６００１を収容する方式とは異なり、ボックス本体６００３の内側に収容容器６００２を出し入れするレール等の軌道部材を設けておき、収容容器６００２を直接ボックス本体６００３出し入れするようにしてもよい。
【０１７８】
さらにこの第２６の実施の形態に係る窓口用切手類保管管理装置６０００は、操作端末装置６０１０に接続されている。この操作端末装置６０１０は、データの入力や集計処理を行なうデータ入力装置６０２０と、集計データその他の資料をハードコピーとして出力するプリンタ６０２１とから構成されている。データ入力装置６０２０とプリンタ６０２１とはデータ信号線６０２２によて接続されており、またデータ入力装置６０２０はデータ信号線６０２３によってベースステーション６０１１に接続されている。またデータ入力装置６０２０とプリンタ６０２１とは、図６６に示すように机上に並べて載置されていてもよいし、或いは図６８に示してあるようにデータ入力装置６０２０の上にプリンタ６０２１を載置するようにしてもよい。窓口用切手類保管管理装置６０００は、そのボックス本体６００３がベースステーション６０１１に対して着脱自在になっている。ボックス本体６００３とベースステーション６０１１との結合は、例えば図６６に示されているように、ベースステーション６０１１の上面４個所にボックス本体６００３を取り付けるための取付孔６０１２を開けておく一方、ボックス本体６００３の底面に上記取付孔６０１２に係合する結合部材（図示してない）を設けておき、取付孔６０１２と結合部材との結合および結合解除によりボックス本体６００３すなわち窓口用切手類保管管理装置６０００をベースステーション６０１１に取り付けたり取り外したりすることができるようになっている。
【０１７９】
また、窓口用切手類保管管理装置６０００の内部には、上記第１の実施の形態や第１３の実施の形態に係る窓口用切手類保管管理装置と同様に切手類の管理用の管理制御部が内蔵されている。そして、上記窓口用切手類保管管理装置６０００は、郵便切手、収入印紙等の切手類の収納管理対象物を収納する複数の切手類保管管理用の収容容器６００２、各収容容器６００２毎に対応して備えられ当該収容容器６００２を複数個ずつ単位としてまとめて収容する切手類収納カセット６００１、切手類収納カセット６００１を交換する手段、切手類収納カセット６００１を収容したボックス本体６００３を閉じて施錠するためのシャッタ扉６００４および錠６００５などのエンクローズ手段に加えて、切手類収納カセット６００１への収容容器６００２の出入等の状態を検出する収容容器検出手段と、それぞれの収容容器６００２の区別と状態を検出し認識する収容容器認識手段と、各カセット毎に取り扱い者を登録する取扱い者登録手段と、カセットの取り扱いを監視する取扱い監視手段とを備えている。そして、上記収容容器検出手段、収容容器認識手段、取扱い者登録手段、および取扱い監視手段の動作は、窓口用切手類保管管理装置６０００内の管理制御部によってコントロールされる。なお、管理制御部は通信機能を有するＣＰＵなどによって構成されている。カセット取扱い監視手段は、取り扱い者の間の業務引き継ぎに際して、カセットおよび取り扱い者を切り替えて監視するようになっている。
【０１８０】
上記管理制御部はベースステーション６０１１との間で光通信方式によりデータおよび各種指令信号の送受信が出来るようになっており、そのためにベースステーション６０１１には光通信用の接続手段として光コネクタ６０１３が設けられている。他方、ボックス本体６００３の底面に上記光コネクタ６０１３に対応する窓口用切手類保管管理装置側の光コネクタ（図示してない）が設けられている。ベースステーション６０１１側の光コネクタ６０１３にはデータ信号線６０２３が接続され、これにより操作端末装置６０１０のデータ入力装置６０２０とベースステーション６０１１が接続されている。したがって、窓口用切手類保管管理装置６０００と操作端末装置６０１０とは、間にベースステーション６０１１を介在させることによりデータ信号線６０２３および光コネクタ６０１３により非接触でデータ通信可能に接続されている。このデータ通信は、例えばＲＳ２３２Ｃインタフェースによって通信が確立される。
【０１８１】
このような構成を有するから、本実施の形態においては、朝、係員が業務を始めるときに金庫などの収納室から自己の管理担当となっている窓口用切手類保管管理装置６０００をボックス本体ごと運び出し、ベースステーション６０１１の上に載置する。これによりボックス本体６００３側の取付部材がベースステーション６０１１側の取付孔６０１２に係合して一体となり、これと同時に光コネクタ６０１３もボックス本体６００３側の光コネクタと位置合わせが完了して窓口用切手類保管管理装置６０００と操作端末装置６０１０との間でデータ通信が可能となる。次に係員は、自己の管理担当となっている切手類収納カセット６００１をボックス本体６００３の中に収容し、窓口販売、窓口契約などの業務に際し必要に応じて切手類収納カセット６００１から収容容器６００２を引き出したり納めたりする。日中の業務に際しては、切手類の販売などにより窓口用切手類保管管理装置６０００の中の切手類が販売され、それにともなって金銭の授受が行なわれると、その切手類および金銭の出入り（すなわち出納）の情報は、データ入力装置６０２０からの指示により、或いは窓口用切手類保管管理装置６０００側の制御部（マイクロコンピュータ）の処理によって自動的に窓口用切手類保管管理装置６０００からデータ入力装置６０２０へと光コネクタ６０１３およびデータ信号線６０２３を通して送信される。データ入力装置６０２０では、送信されてきたデータを処理して切手類と金銭の出入りが正しく行なわれているかチェックしたり、業務の内容を集計、分析したりする。その集計、分析結果はプリンタ６０２１からハードコピーとして出力することができる。なお業務途中で、係員の交代があった場合は、係員は自己の管理する切手類収納カセット６００１をボックス本体６００３から取り出し金庫等の所定の格納場所へと移す。そして交代する他方の係員が自己の管理担当となっている切手類収納カセット６００１  （先のものとは異なる）をボックス本体６００３の中に収容し、窓口販売、窓口契約などの業務を行なう。
【０１８２】
日中の業務が終了した場合は、各係員が自己の管理担当となっている窓口用切手類保管管理装置６０００のボックス本体６００３をベースステーション６０１１から外し、再び金庫等に収納する。これによりベースステーション６０１１およびデータの入力や処理を行なう操作端末装置６０１０のみが机上に残され、これで一日の業務は終了となる。窓口用切手類保管管理装置６０００のボックス本体６００３とベースステーション６０１１とは光コネクタ６０１３を介して通信接続されているので、ボックス本体６００３をベースステーション６０１１に対して取り付けたり、取り外したりしても機械的な接続なしで電気的な接続が実現できるため、この接続部分が破損したり時間とともにする接続不良が生じるという不具合はない。したがって窓口用切手類保管管理装置６０００の保管管理は手軽に、且つ安全に行なうことができる。
【０１８３】
この第２６の実施の形態においては、上述したように、上記複数の収容容器６００２の部分をカセットとして交換可能にした切手類収納カセット６００１を備え、また錠６００５により上記切手類収納カセット６００１に施錠ができるようにしている。これにより切手類収納カセット６００１を窓口用切手類保管管理、或いは切手類の販売管理の運用上の必要に応じて交換可能なようにすれば、勤務時間帯の異なる係員の間の業務の引き継ぎの場合に当該切手類収納カセット６００１の入れ換えによる責任分掌の明確化が可能となる。また、上記勤務時間帯の異なる係員の間の業務の引き継ぎ業務そのものが容易に行なえる。
【０１８４】
（実施の形態２７）
次に窓口用切手類保管管理装置６０００における切手類の保管収納方式をさらに変更した本発明の第２７の実施の形態について説明する。図６９はこの第２７の実施の形態に係る窓口用切手類保管管理装置６０００の全体構成を鳥瞰して表した斜視図である。図６９において、符号６０００は窓口用切手類保管管理装置、６００１は図４１を参照して先に説明された第１３の実施の形態における切手類収納カセット３２０１と同様の切手類収納カセット、６０１１は窓口用切手類保管管理装置６０００の支持台としての機能を有する一方で、操作端末６０１０との間のデータ伝送のための非接触の通信を確立させる通信接続機能を有するベース部材としてのベースステーションであり、これらの部材は上記第２６の実施の形態における窓口用切手類保管管理装置６０００に用いられている各部材と構成および機能並びに部材同士の組み合わせ態様が同じである。６０３０は本実施の形態において用いられる窓口用切手類保管管理装置６０００に対して窓口業務を行なうために使用される業務支援端末である。
【０１８５】
業務支援端末装置６０３０は、業務内容に応じた指示データを入力するとともに入力データや結果データを表示する入力表示端末６０３１と、郵便物の検査や受領証の発行を行なう作業端末６０３２とから構成される。入力表示端末６０３１と作業端末６０３２とはデータ信号線６０３３によて接続されており、また入力表示端末６０３１はデータ信号線６０３４によってベースステーション６０１１に接続されている。入力表示端末６０３１は業務遂行に際して指示データを入力するキーボード部６０３５と、入力データや結果データを表示する表示部６０３６とを備えている。また作業端末６０３２はマイクロコンピュータなどを組み込んだ本体部６０３７と、本体部６０３７の上面に設けられ郵便物の重量を計測する電子はかり６０３８と、本体部６０３７の前後一側に設けられ受領証の発行に際して受領証書を出力する受領証発行部６０３９と、本体部６０３７の上記受領証発行部６０３９とは反対側に設けられ業務遂行中における必要な情報を顧客に表示する顧客ようにしたものであり、表示部６０４０とを備えている。
【０１８６】
本実施の形態においても、窓口用切手類保管管理装置６０００に内蔵された管理制御部はベースステーション６０１１との間で光通信方式によりデータおよび各種指令信号の送受信が出来るようになっており、そのためにベースステーション６０１１には光通信用の接続手段として光コネクタ６０１３が設けられている。他方、ボックス本体６００３の底面に上記光コネクタ６０１３に対応する窓口用切手類保管管理装置側の光コネクタ（図示してない）が設けられている。ベースステーション６０１１側の光コネクタ６０１３にはデータ信号線６０３４が接続され、これにより業務支援端末装置６０３０の入力表示端末６０３１とベースステーション６０１１が接続されている。したがって、窓口用切手類保管管理装置６０００と業務支援端末装置６０３０とは、間にベースステーション６０１１を介在させることによりデータ信号線６０３４および光コネクタ６０１３により非接触でデータ通信可能に接続されている。このデータ通信は、例えばＲＳ２３２Ｃインタフェースによって通信が確立される。
【０１８７】
このような構成を有するから、本実施の形態においては、朝、係員が業務を始めるときに金庫などの収納室から自己の管理担当となっている窓口用切手類保管管理装置６０００をボックス本体ごと運び出し、ベースステーション６０１１の上に載置する。これによりボックス本体６００３側の取付部材がベースステーション６０１１側の取付孔６０１２に係合して一体となり、これと同時に光コネクタ６０１３もボックス本体６００３側の光コネクタと位置合わせが完了して窓口用切手類保管管理装置６０００と業務支援端末装置６０３０との間でデータ通信が可能となる。次に係員は、自己の管理担当となっている切手類収納カセット６００１をボックス本体６００３の中に収容し、窓口販売、窓口契約などの業務に際し必要に応じて切手類収納カセット６００１から収容容器６００２を引き出したり納めたりする。日中の業務に際しては、例えば郵便物の差し出し等の顧客からの注文に対しては作業端末６０３２の電子はかり６０３８により郵便物の重さを測ると、その重さと、必要な金額などの情報が入力表示端末６０３１の表示部６０３６および作業端末６０３２の顧客用表示部６０４０に表示される。さらに、切手類の販売などにより窓口用切手類保管管理装置６０００の中の切手類が販売され、それにともなって金銭の授受が行なわれると、受領証書や領収書が受領証発行部から出力される。なお業務途中で、係員の交代があった場合は、係員は自己の管理する切手類収納カセット６００１をボックス本体６００３から取り出し金庫等の所定の格納場所へと移す。そして交代する他方の係員が自己の管理担当となっている切手類収納カセット６００１（先のものとは異なる）をボックス本体６００３の中に収容し、窓口販売、窓口契約などの業務を行なう。
【０１８８】
（実施の形態２８）
以上、第２６の実施の形態および第２７の実施の形態においては、それぞれ窓口用切手類保管管理装置６０００に操作端末装置６０１０を接続したり或いは業務支援端末装置６０３０を接続したりした例を挙げて説明しており、これらの端末装置６０１０、６０３０或いは他の機能を有する端末装置は選択的に窓口用切手類保管管理装置６０００に接続することができる。さらにこれら操作端末装置６０１０、業務支援端末装置６０３０を同時に窓口用切手類保管管理装置６０００に接続し、さらにはもっと別の機能を有する端末装置をも窓口用切手類保管管理装置６０００に接続し、それぞれの端末装置６０１０、６０３０等の処理動作を窓口用切手類保管管理装置６０００と連携して行なわせるようにしてもよい。図７０は、このような態様を有する本発明の第２８の実施の形態に係る窓口用切手類保管管理装置の全体構成を鳥瞰して表した斜視図である。本実施の態様の場合は、上記のような特徴を有するから、窓口用切手類保管管理装置６０００に接続される端末装置の機種が複数あるため、ベースステーション６０１１には光コネクタ６０１３および６０１４が適宜増設される。
【０１８９】
【発明の効果】
本発明は上記の各実施の形態より明らかなように、郵便切手、収入印紙等の切手類の収納管理対象物を収納する複数の切手類保管管理用の収容容器と、各収容容器毎に対応して設けられて当該収容容器を収容する収容ケースと、収容ケースへの収容容器の出入等の状態を検出する手段と、各収容容器の区別と状態を検出認識する手段と、収容容器内の切手類を撮像する手段と、撮像手段により撮像された切手類の画像を解析する切手類枚数種別検出装置とを備えているので、撮像手段によりシート状の切手類の一部を切り取って販売した残りの端数のシート状切手類を撮像手段により撮像し、撮像された切手類の画像を解析して切手類の枚数を算出しまた種別を認識判定することにより、切手類販売業務処理の省力化と正確化を図ることができ、窓口における切手類保管管理および切手類販売管理を自動化することにより、事務の簡略化と、正確で迅速な処理遂行、およびセキュリティの向上を図ることができる。
【図面の簡単な説明】
【図１】本発明の第１の実施の形態の切手類販売管理システム装置に用いられる窓口用切手類保管管理装置の概略構成を示す斜視図
【図２】前記第１の実施の形態の切手類販売管理システム装置に用いられる窓口用切手類保管管理装置の収容ケースの内部構成を概略的に示す側面断面図
【図３】本発明の第１の実施の形態の切手類販売管理システム装置に用いられる窓口用切手類保管管理装置の収容ケースの内部構成を透視して示す斜視図
【図４】前記第１の実施の形態の切手類販売管理システム装置に用いられる窓口用切手類保管管理装置を運用するためのシステムの基本回路構成を示すブロック図
【図５】前記第１の実施の形態の切手類販売管理システム装置に用いられる窓口用切手類保管管理装置の切手類販売動作を説明するフロー図
【図６】本発明の第２の実施の形態の切手類販売管理システム装置に用いられる窓口用切手類保管管理装置に設けられた手動錠操作の電子的チェック機構の断面構造を表す図
【図７】前記第２の実施の形態に係る手動錠操作の電子的チェック機構を運用するためのシステムの基本回路構成を示すブロック図
【図８】本発明の第３の実施の形態に係る切手類販売管理システム装置におけるキー操作による自動開錠システムの構造を表す側面断面図
【図９】前記第３の実施の形態に係る自動開錠システムの回路構成を示すブロック図
【図１０】本発明の第４の実施の形態の切手類販売管理システム装置に用いられる窓口用切手類保管管理装置を示す側面断面図
【図１１】前記第４の実施の形態の窓口用切手類保管管理装置の収容ケースの内部構成を透視して示す斜視図
【図１２】前記第４の実施の形態の切手類販売管理システム装置に用いられる窓口用切手類保管管理装置を運用するためのシステムの基本回路構成を示すブロック図
【図１３】本発明の第５の実施の形態の切手類販売管理システム装置に用いられる窓口用切手類保管管理装置を示す側面断面図
【図１４】前記第５の実施の形態の窓口用切手類保管管理装置の収容ケースの内部構成を透視して示す斜視図
【図１５】前記第５の実施の形態の切手類販売管理システム装置に用いられる窓口用切手類保管管理装置を運用するためのシステムの基本回路構成を示すブロック図
【図１６】本発明の第６の実施の形態の切手類販売管理システム装置に用いられる窓口用切手類保管管理装置を示す側面断面図
【図１７】前記第６の実施の形態に係る窓口用切手類保管管理装置の収容ケースの内部構成を透視して示す斜視図
【図１８】前記第６の実施の形態の切手類販売管理システム装置に用いられる窓口用切手類保管管理装置を運用するためのシステムの基本回路構成を示すブロック図
【図１９】前記第６の実施の形態における切手類枚数自動計数を四角形輪郭認識によって行なう方式の概念図
【図２０】前記第６の実施の形態における切手類枚数自動計数を文字認識またはパターン認識による枚数算出によって行なう方式の概念図
【図２１】前記第６の実施の形態における切手類枚数自動計数を蛍光印刷枠の認識によって行なう方式の概念図
【図２２】本発明の第７の実施の形態の切手類販売管理システム装置に用いられる切手類枚数の自動認識判定処理方法の一例を説明する側面断面図
【図２３】前記第７の実施の形態における切手類枚数の自動認識判定処理方法の別の一例を説明する上面図
【図２４】本発明の第８の実施の形態の切手類販売管理システム装置に用いられる窓口用切手類保管管理装置を示す側面断面図
【図２５】前記第８の実施の形態に係る窓口用切手類保管管理装置の外観構造を示す斜視図
【図２６】前記第８の実施の形態に係る窓口用切手類保管管理装置を運用するためのシステムの基本回路構成を示すブロック図
【図２７】本発明の第９の実施の形態の切手類販売管理システム装置に用いられる切手類保管収納方法及び選択出入の方式において、シートホルダーを開帳した状態を示す斜視図
【図２８】前記第９の実施の形態に係る切手類保管収納方法及び選択出入の方式において、シートホルダーを閉じた状態を示す斜視図
【図２９】前記第９の実施の形態に係る切手類保管収納方法及び選択出入の方式において、シートホルダーをシートホルダー格納・セレクターに収納した状態を示す斜視図
【図３０】前記第９の実施の形態に係る切手類保管収納方法及び選択出入の方式を採用する切手類保管管理装置の構成例を示す断面図
【図３１】本発明の第１０の実施の形態の切手類販売管理システム装置に用いられる窓口用切手類保管管理装置を示す側面断面図
【図３２】前記第１０の実施の形態の窓口用切手類保管管理装置の外観構造を示す斜視図
【図３３】本発明の第１１の実施の形態における切手類シートとこれを検出する各機能部との配置関係を示す側面断面図
【図３４】前記第１１の実施の形態における切手類シートとこれを検出する各機能部との配置関係を別の面から示す図３３中Ａ−Ａ’線における水平断面図
【図３５】前記第１１の実施の形態における切手類シートとこれを検出する各機能部との配置関係をさらに別の面から示す図３３中Ｂ−Ｂ’線における水平断面図
【図３６】前記第１１の実施の形態において検出機構に用いられる光受光素子のマトリクス配列の配線説明図
【図３７】本発明の第１１の実施の形態におけるシートホルダー保持手段の構造を示す側面断面図
【図３８】前記第１１の実施の形態におけるシートホルダー保持手段の構造を示す上面図
【図３９】本発明の第１２の実施の形態の切手類販売管理システム装置に用いられる切手類保管収納方法及び選択出入の方式を採用した窓口用切手類保管管理装置の構造を示す側面断面図
【図４０】前記第１２の実施の形態に係る窓口用切手類保管管理装置の外観構成を示す斜視図
【図４１】本発明の第１３の実施の形態に係る窓口用切手類保管管理装置を透視して表した斜視図
【図４２】本発明の第１４の実施の形態に係る窓口用切手類保管管理装置を透視して表した斜視図
【図４３】本発明の第１５の実施の形態に係る窓口用切手類保管管理装置の収容ケースの内部構成を示す側面断面図
【図４４】前記第１５の実施の形態に係る窓口用切手類保管管理装置の収容ケースの内部構成を透視して示す斜視図
【図４５】前記第１５の実施の形態に係る窓口用切手類保管管理装置の回路構成を表すブロック構成図
【図４６】前記第１５の実施の形態に係る窓口用切手類保管管理装置の基本動作である切手類販売処理動作を説明するフロー図
【図４７】本発明の第１６の実施の形態に係る窓口用切手類保管管理装置の収容ケースの内部構成を示す側面断面図
【図４８】前記第１６の実施の形態に係る窓口用切手類保管管理装置の回路構成を表すブロック構成図
【図４９】前記第１６の実施の形態に係る窓口用切手類保管管理装置における収納容器の情報登録処理動作を説明するフロー図
【図５０】本発明の第１７の実施の形態に係る窓口用切手類保管管理装置を窓口ＰＯＳ機器としての郵便窓口事務処理機器に接続した状態を示す斜視図
【図５１】前記第１７の実施の形態に係る窓口用切手類保管管理装置と郵便窓口事務処理機器との間の接続状態および郵便窓口事務処理機器の内部回路構成を説明するブロック図
【図５２】前記第１７の実施の形態の変更例として事務所内情報集約システムおよび切手類販売管理システム装置を構築した例を示す概略説明図
【図５３】前記第１７の実施の形態に係る窓口用切手類保管管理装置における残数確認処理動作を説明するフロー図
【図５４】前記第１７の実施の形態に係る窓口用切手類保管管理装置における補充請求処理動作を説明するフロー図
【図５５】前記第１の実施の形態において収容容器の別の駆動機構を示す断面図
（Ａ）収容容器収納時の平面断面図
（Ｂ）収容容器収納時の側面断面図
（Ｃ）収容容器引き出し時の平面断面図
（Ｄ）収容容器引き出し時の側面断面図
【図５６】前記第１の実施の形態において収容容器のさらに別の駆動機構を示す断面図
（Ａ）収容容器収納時の平面断面図
（Ｂ）収容容器収納時の側面断面図
（Ｃ）収容容器引き出し時の平面断面図
（Ｄ）収容容器引き出し時の側面断面図
【図５７】本発明の第１８の実施の形態の切手類販売管理システム装置に用いられる窓口用切手類保管管理装置の側面断面図
【図５８】本発明の第１９の実施の形態の切手類販売管理システム装置に用いられる窓口用切手類保管管理装置の側面断面図
【図５９】本発明の第２０の実施の形態の切手類販売管理システム装置に用いられる窓口用切手類保管管理装置の分解斜視図
【図６０】本発明の第２１の実施の形態の切手類販売管理システム装置に用いられる窓口用切手類保管管理装置の要部を示す図
（Ａ）複数のシートホルダーとシートホルダー駆動部材の斜視図
（Ｂ−１）複数のシートホルダーとシートホルダー駆動部材の部分平面断面図
（Ｂ−２）複数のシートホルダーとシートホルダー駆動部材の部分平面断面図
（Ｃ−１）複数のシートホルダーとストッパー部材の部分側面断面図
（Ｃ−２）複数のシートホルダーとストッパー部材の部分側面断面図
（Ｄ）シートホルダーの部分拡大正面図
【図６１】本発明の第２２の実施の形態の切手類販売管理システム装置に用いられる窓口用切手類保管管理装置の側面断面図
【図６２】本発明の第２３の実施の形態の切手類販売管理システム装置に用いられる窓口用切手類保管管理装置の斜視図
【図６３】本発明の第２４の実施の形態の切手類販売管理システム装置に用いられる窓口用切手類保管管理装置の分解斜視図
【図６４】本発明の第２５の実施の形態に係る窓口用切手類保管管理装置に用いたシートホルダー駆動部材の斜視図
【図６５】同シートホルダー駆動部材の正面図
【図６６】本発明の第２６の実施の形態に係る窓口用切手類保管管理装置の全体構成を鳥瞰して表した斜視図
【図６７】前記第２６の実施の形態において用いられる切手類収納カセットのボックス体を閉めた状態を表す斜視図
【図６８】前記第２６の実施の形態において用いられる窓口用切手類保管管理用の操作端末装置の組み付け或いはセッティング状態の一例を表す斜視図
【図６９】本発明の第２７の実施の形態に係る窓口用切手類保管管理装置の全体構成を鳥瞰して表した斜視図
【図７０】本発明の第２８の実施の形態に係る窓口用切手類保管管理装置の全体構成を鳥瞰して表した斜視図
【符号の説明】
０１００  窓口用切手類保管管理装置
０１０１  収納容器
０１０２  検出センサー
０１０３  制御部
０１０４  センサー制御部
０１０５  ＣＰＵ
０１０６  バスライン
０１０７  記憶部
０１１０  切手類
０１１１  収容ケース
０１２０  キーボード
０１２１  数字キー
０１２２  入力切替キー
０１２３  コードリーダ
０１３０  情報表示器
０１３１  表示切替部
０１４０  プリンタ
０１４０Ｒ  ロール紙
０１４１  排出口
０１５０  ディスク装置
０１５１  ディスク挿入口
０１６０  インタフェース部
０１７０  接続端子
０２００  郵便窓口事務処理機器
０２１０  本体部
０２１１  メインＣＰＵ
０２１２  共通メモリ
０２１３  メモリ
０２１４  情報表示器
０２１５  ディスク挿入口
０２１６  操作キースイッチ（キーボード）
０２２１  サブＣＰＵ
０２２２  メモリ
０２２３  証紙プリンタ
０２２４  プリンタ
０２２５  排出口
０２３０  秤量部
０２４０  接続通信ライン
０３１０  パーソナルコンピュータ
０３２０  事務所内サーバ
０４１０  通信ネットワーク
０４２０  管理センターのサーバ
０４３０  パーソナルコンピュータ
０５１０  切手類種別読取認識装置
１１０１  切手類カウント用撮像カメラ
２００１  引出し出入駆動機構
２００２  引出し出入駆動制御回路
２１１０  手動錠動作センサー装置部
２１１１  手動錠連動フック
２１１２  フック戻しスプリング
２１２０  手動錠動作電子信号化回路部
２１２１  センサー
２１３０  手動錠
２１３１  手動錠従連動軸
２１３２  フック作動用カム
２２１０  自動開錠機構
２２１１  ラッチレバー
２２１２  電磁コイル
２２１３  戻しスプリング
２２１４  電磁石鉄芯
２２１５  通電ケーブル
２２２０  操作キー
２２３０  自動開錠制御回路
２２４０  収容容器押出スプリング
２３０１  金銭精算取引用記録媒体カードライト装置
２４０１  個人認識装置
２５０１  撮像装置
２５０２  切手類枚数検出装置
２５１１  欠損部分
２５１２  種別判定用特徴パターン
２５１３  蛍光色枠印刷
２６０１  バックグラウンド板
２６０２  切手類保管管理容器
２６０３  バージン切手類シート
２６０４  端数切手類シート
２６０５  撮像画角
２７０１  サブＣＰＵ
２７０２  変額切手類発行プリンター
２７０３  領収書用プリンター
２７０４  操作キーボード
２７０５  文字数字表示器
２７０６  変額切手類用紙
２７０７  領収書用紙
２７０８  変額切手類および領収書発行口
２７０９  サブＣＰＵ用バスライン
２７１０  変額切手類発行装置
２８０１  ホルダーベース
２８０２  ホルダーカバー
２８０３  止め片
２８０４  シート保持片
２８０５  穴
２８０６  位置検索インデックス部
２８１０  シートホルダー
２８２０  シートホルダー格納・セレクター
２８２１  支持ピン
２８３０  取り出し機構
２８３１  位置検出部材
２８４０  外装ケース
２８５０、２８５１  扉
２９１０  切手類出入用シートホルダー保持手段
２９１１  スタンド
２９１２  ベース部
２９１３  支柱部
２９１４  ケース取付部
３００１  切手類検出対象シート
３００２  光線透過窓用透明部
３００３  光遮断バリア部
３０１０  受光検出素子
３０１１  検出素子用基板
３０１２  マトリクスＸ軸印刷配線
３０１３  マトリクスＹ軸印刷配線
３０１４  マトリクス配線スルーホール接続部
３０１５  光遮断バリア部
３０２１  発光素子
３０２２  発光素子用基板
３０２３  発光素子用光透過部
３０２４  反射光
３０２５  透過光
３０５１  光受光素子マトリクス配列配線Ｘ軸配線端子
３０５２  光受光素子マトリクス配列配線Ｙ軸配線端子
３０５３  受光素子
３１０１  切手類収納バインダー
３１０２  フック
３１０３  ロック用フック受け装置
３１０５  蝶番
３１１０  集合収納ケース
３２０１  切手類収納カセット
３２０２  錠
３３０１  金銭登録保管用ドロワー
５５０１  コンストンスプリング
５５０２  巻締め機構
５５０３  ラッチ
５５０４  フック部
５５０５  係止溝
５５０６  ラッチ解除用ソレノイド
５６０１  ロングスプリング
５６０２  固定部
５６０３  プーリ
５７０１  シートホルダー
５７０１Ｇ  ガイド溝
５７０１Ｃ  頁識別読取用コード
５７０２  円筒ケース
５７０２Ｌ  取り出し口
５７０２Ｃ  円筒ケースカセット
５７０２Ｄ  扉
５７０２Ｋ  錠
５７０３  シートホルダー駆動部材
５７０３Ｓ  シャフト
５７０３Ｄ  ディスク
５７０４  装置本体
５７０４Ｃ  カセット装填部
５７０５  外装ケース
５７０５Ｗ  窓
５７０５Ｄ  扉
５７０５Ｇ  把持部
５７０５Ｓ  扉センサー
５７０５Ｌ  装填口
５７０５Ｋ  手動錠
５７０６  ＣＰＵ・主制御部
５７０７  コントローラ
５７０８  ディスク駆動部
５７０９  通信回路
５７１０  操作キー
５７１１  表示器
５７１２  ストッパー部材
５７１３  コード読取装置
５７１３Ｇ  ガイド部
５７１３Ｐ  コード読取部
５７１３Ｓ  シートホルダーストッパー
５７１４  撮像装置
５７１５  切手類枚数検出装置
５７１６  ハンドル
５７１７  スイッチボタン
５７１８  電子メモリーユニット
５７１９  短毛
【図１】
0003634140.tif 000002
【図２】
0003634140.tif 000003
【図３】
0003634140.tif 000004
【図４】
0003634140.tif 000005
【図５】
0003634140.tif 000006
【図６】
0003634140.tif 000007
【図７】
0003634140.tif 000008
【図８】
0003634140.tif 000009
【図９】
0003634140.tif 000010
【図１０】
0003634140.tif 000011
【図１１】
0003634140.tif 000012
【図１２】
0003634140.tif 000013
【図１３】
0003634140.tif 000014
【図１４】
0003634140.tif 000015
【図１５】
0003634140.tif 000016
【図１６】
0003634140.tif 000017
【図１７】
0003634140.tif 000018
【図１８】
0003634140.tif 000019
【図１９】
0003634140.tif 000020
【図２０】
0003634140.tif 000021
【図２１】
0003634140.tif 000022
【図２２】
0003634140.tif 000023
【図２３】
0003634140.tif 000024
【図２４】
0003634140.tif 000025
【図２５】
0003634140.tif 000026
【図２６】
0003634140.tif 000027
【図２７】
0003634140.tif 000028
【図２８】
0003634140.tif 000029
【図２９】
0003634140.tif 000030
【図３０】
0003634140.tif 000031
【図３１】
0003634140.tif 000032
【図３２】
0003634140.tif 000033
【図３３】
0003634140.tif 000034
【図３４】
0003634140.tif 000035
【図３５】
0003634140.tif 000036
【図３６】
0003634140.tif 000037
【図３７】
0003634140.tif 000038
【図３８】
0003634140.tif 000039
【図３９】
0003634140.tif 000040
【図４０】
0003634140.tif 000041
【図４１】
0003634140.tif 000042
【図４２】
0003634140.tif 000043
【図４３】
0003634140.tif 000044
【図４４】
0003634140.tif 000045
【図４５】
0003634140.tif 000046
【図４６】
0003634140.tif 000047
【図４７】
0003634140.tif 000048
【図４８】
0003634140.tif 000049
【図４９】
0003634140.tif 000050
【図５０】
0003634140.tif 000051
【図５１】
0003634140.tif 000052
【図５２】
0003634140.tif 000053
【図５３】
0003634140.tif 000054
【図５４】
0003634140.tif 000055
【図５５】
0003634140.tif 000056
【図５６】
0003634140.tif 000057
【図５７】
0003634140.tif 000058
【図５８】
0003634140.tif 000059
【図５９】
0003634140.tif 000060
【図６０】
0003634140.tif 000061
【図６１】
0003634140.tif 000062
【図６２】
0003634140.tif 000063
【図６３】
0003634140.tif 000064
【図６４】
0003634140.tif 000065
【図６５】
0003634140.tif 000066
【図６６】
0003634140.tif 000067
【図６７】
0003634140.tif 000068
【図６８】
0003634140.tif 000069
【図６９】
0003634140.tif 000070
【図７０】
0003634140.tif 000071